(57)【特許請求の範囲】
【請求項１】
底面部（５０）と、底面部の各辺から立設し底面部に対して略直角をなす側面部で、正面部（１０）と、左面部（２０）と、右面部（３０、３１）と、背面部（４０）とからなる側面部（５）と、側面部の上端から連設された蓋部（１２０、１３０）とを有する包装箱であって、
側面部に切目線（Ｋ５）が周状に設けられ、該切目線は、正面部における右側面側の辺部と左側面側の辺部間に形成された第１切目線（Ｋ１０）と、右面部における正面側の辺部と背面側の辺部間に形成された第２切目線（Ｋ３０、Ｋ３０’、Ｋ３０’’）と、左面部における正面側の辺部と背面側の辺部間に形成された第３切目線（Ｋ２０）と、背面部における右側面側の辺部と左側面側の辺部間に形成された第４切目線（Ｋ４０）とを有し、
背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、上背面部の右側面側の辺部における下端から上端までの途中位置である第１途中位置（Ｐ４）と背面部の上辺の右側面側の端部から左側面側の端部までの途中位置である第２途中位置（Ｐ６、Ｐ５’）の間の位置に、第１途中位置と第２途中位置を結ぶ方向に第１折れ線（Ｃ４５）が形成され、上背面部の左側面側の辺部における下端から上端までの途中位置である第３途中位置（Ｐ３）と背面部の上辺の左側面側の端部から右側面側の端部までの途中位置である第４途中位置で、第２途中位置よりも左側面側に位置するか又は第２途中位置と重なる第４途中位置（Ｐ５、Ｐ５’）の間の位置に、第３途中位置と第４途中位置を結ぶ方向に第２折れ線（Ｃ４４）が形成され、第１折れ線と第２折れ線間とが、第４切目線側にいくに従い第１折れ線と第２折れ線間の長さが長くなるように形成され、上背面部が、第１折れ線よりも上側の領域である上右領域（４８Ｒ）と、第２折れ線よりも上側の領域である上左領域（４８Ｌ）と、第１折れ線及び第２折れ線よりも下側の領域である上背面部本体（４５−１）とを有し、
右面部においては、右面部の第２切目線よりも上側の領域である上右面部（３５、３５’）には、上右面部の背面側の辺部における下端から上端までの途中位置で第１途中位置と重なる第５途中位置（Ｐ４’’、Ｐ４’）と第２切目線の背面側の端部から正面側の端部までの途中位置である第６途中位置（Ｐ１２）の間の位置に、第５途中位置と第６途中位置を結ぶ方向に第３折れ線（Ｃ３１、Ｃ３１’）が形成され、第３折れ線は下側にいくほど正面側となるように形成され、
左面部においては、左面部の第３切目線よりも上側の領域である上左面部（２５）には、上左面部の背面側の辺部の下端から上端までの途中位置で第３途中位置と重なる第７途中位置（Ｐ３’）と第３切目線の背面側の端部から正面側の端部までの途中位置である第８途中位置（Ｐ１１）の間の位置に、第７途中位置と第８途中位置を結ぶ方向に第４折れ線（Ｃ２１）が形成され、第４折れ線は下側にいくほど正面側となるように形成され、
下背面部における該一対の切目線間の領域を外側から押して、上背面部本体の下端に指をひっかけ、上背面部本体の下端を外側にひっぱることにより、上背面部本体が第２折れ線と第４折れ線を介して折曲し上背面部本体が外側に膨出して、第４切目線が破断し、
上右面部における第３折れ線よりも背面側の領域である第１背面側領域（３７）が第３折れ線を介して内側に回動して第２切目線における第１背面側領域と右面部の第２切目線よりも下側の領域である下右面部（３２、３２’）間の切目線が破断するとともに、上左面部における第４折れ線よりも背面側の領域である第２背面側領域（２７）が第４折れ線を介して内側に回動して第３切目線における第２背面側領域と左面部の第３切目線よりも下側の領域である下左面部（２２）間の切目線が破断することを特徴とする包装箱。
【請求項２】
第２切目線における第１背面側領域と下右面部間の切目線と第３切目線における第２背面側領域と下左面部間の切目線を破断した後に、上背面部の下端を上方にひっぱることにより、第２切目線における第３折れ線よりも正面側の領域である第１正面側領域（２６）と下右面部間の切目線が破断するとともに、第３切目線における第４折れ線よりも正面側の領域である第２正面側領域（３６）と下左面部間の切目線が破断し、
さらに、第１切目線を破断することにより、正面部における第１切目線よりも上側の領域である上正面部（１５）と上右面部と上左面部と上背面部と蓋部とからなる上側構成部（Ａ−２）が取り除かれることを特徴とする請求項１に記載の包装箱。
【請求項３】
第１途中位置が、第１途中位置と、第４切目線から連設された一対の切目線のうち右側面側の切目線である右切目線（Ｋ４５）の上端である右切目線と第４切目線の接点（Ｐ２）との間の上下方向の長さ（Ｌ２１）と、第１途中位置と上背面部の上辺との間の上下方向の長さ（Ｌ２２）とが略同一である位置にあり、
第３途中位置が、第３途中位置と、第４切目線から連設された一対の切目線のうち左側面側の切目線である左切目線（Ｋ４４）の上端である左切目線と第４切目線の接点（Ｐ１）との間の上下方向の長さ（Ｌ１１）と、第３途中位置と上背面部の上辺との間の上下方向の長さ（Ｌ１２）とが略同一である位置にあることを特徴とする請求項１又は２に記載の包装箱。
【請求項４】
第１折れ線の角度で水平方向である背面部の下辺の方向に対する角度と、第３折れ線の角度で水平方向である右側面部の下辺の方向に対する角度が略同一であり、
第２折れ線の角度で水平方向である背面部の下辺の方向に対する角度と、第４折れ線の角度で水平方向である左側面部の下辺の方向に対する角度が略同一であることを特徴とする請求項１又は２又は３に記載の包装箱。
【請求項５】
第４切目線の右側面側の端部から左側面側の端部までの途中位置である第９途中位置（Ｐ２）と第１途中位置の間の位置に、第９途中位置と第１途中位置を結ぶ方向に第５折れ線（Ｃ４３）が形成され、
第４切目線の左側面側の端部から右側面側の端部までの途中位置で第９途中位置よりも左側面側の位置である第１０途中位置（Ｐ１）と第３途中位置の間の位置に、第１０途中位置と第３途中位置を結ぶ方向に第６折れ線（Ｃ４２）が形成され、
上背面部本体の下端を外側にひっぱることにより、上背面部本体が、第５折れ線と第６折れ線を介して折曲することを特徴とする請求項１又は２又は３又は４に記載の包装箱。
【請求項６】
第４切目線における位置で背面部の右側面側の辺部までの距離と左側面側の辺部までの距離が略同一の位置である第１中央位置（Ｐ９）と背面部４０の上辺における左右方向において第１中央位置と同じ位置である第２中央位置（Ｐ１０）の間の位置に、第１中央位置と第２中央位置を結ぶ方向に第７折れ線（Ｃ４６）が形成され、
上背面部本体の下端を外側にひっぱることにより、上背面部本体が、第７折れ線を介して折曲することを特徴とする請求項５に記載の包装箱。
【請求項７】
第４切目線の右側面側の端部から左側面側の端部までの途中位置である第９途中位置（Ｐ２）と背面部の上辺における位置である第１対応位置（Ｐ６）の間の位置に、第９途中位置と第１対応位置を結ぶ方向に第８折れ線（Ｃ４８）が上下方向に形成され、
第４切目線の左側面側の端部から右側面側の端部までの途中位置で第９途中位置よりも左側面側の位置である第１０途中位置（Ｐ１）と背面部の上辺における位置で第１対応位置よりも左側面側の位置である第２対応位置（Ｐ５）の間の位置に、第１０途中位置と第２対応位置を結ぶ方向に第９折れ線（Ｃ４７）が上下方向に形成され、
上背面部本体の下端を外側にひっぱることにより、上背面部本体が、第８折れ線と第９折れ線を介して折曲することを特徴とする請求項１又は２又は３又は４に記載の包装箱。
【請求項８】
第８折れ線の上端と第１対応位置の間には、間隔が設けられ、第９折れ線の上端と第２対応位置の間には、間隔が設けられていることを特徴とする請求項７に記載の包装箱。
【請求項９】
第４切目線における位置で背面部の右側面側の辺部までの距離と左側面側の辺部までの距離が略同一の位置である第１中央位置（Ｐ９）と背面部４０の上辺における左右方向において第１中央位置と同じ位置である第２中央位置（Ｐ５’）の間の位置に、第１中央位置と第２中央位置を結ぶ方向に第１０折れ線（Ｃ４６）が形成され、
上背面部本体の下端を外側にひっぱることにより、上背面部本体が、第１０折れ線を介して折曲することを特徴とする請求項１又は２又は３又は４に記載の包装箱。
【請求項１０】
第２切目線が、第２切目線の背面側の端部から形成された第２切目線主構成部（Ｋ３４、Ｋ３４’、Ｋ３４’’）を有し、第２切目線主構成部は、正面側にいくほど上側となるように形成され、
第３切目線が、第３切目線の背面側の端部から形成された第３切目線主構成部（Ｋ２４）を有し、第３切目線主構成部は、正面側にいくほど上側となるように形成され、
第６途中位置は、第２切目線主構成部における背面側の端部から正面側の端部までの途中位置に位置し、
第８途中位置は、第３切目線主構成部における背面側の端部から正面側の端部までの途中位置に位置することを特徴とする請求項１又は２又は３又は４又は５又は６又は７又は８又は９に記載の包装箱。
【請求項１１】
第２切目線主構成部の正面側の端部から右面部の背面側の辺部までの前後方向の長さ（Ｌ３４）は、右面部における背面側の辺部から正面側の辺部までの前後方向の長さ（Ｌ３０）の半分以上の長さを有し、
第３切目線主構成部の正面側の端部から右面部の背面側の辺部までの前後方向の長さ（Ｌ２４）は、左面部における背面側の辺部から正面側の辺部までの前後方向の長さ（Ｌ２０）の半分以上の長さを有していることを特徴とする請求項１０に記載の包装箱。
【請求項１２】
第６途中位置から右側面部の背面側の辺部までの長さ（Ｌ３４−１’）は、第２切目線主構成部の正面側の端部から右側面部の背面側の辺部までの前後方向の長さ（Ｌ３４）の半分と略同一であり、
第８途中位置から左側面部の背面側の辺部までの長さ（Ｌ２４−１）は、第３切目線主構成部の正面側の端部から右側面部の背面側の辺部までの前後方向の長さ（Ｌ２４）の半分と略同一であることを特徴とする請求項１０又は１１に記載の包装箱。
【請求項１３】
第２切目線において、第２切目線主構成部の正面側の端部から右側面部の正面側の辺部まで形成された切目線（Ｋ３２）が、正面側にいくほど下側となるように形成され、第３切目線において、第３切目線主構成部の正面側の端部から左側面部の正面側の辺部まで形成された切目線（Ｋ２２）が、正面側にいくほど下側となるように形成されていることを特徴とする請求項１０又は１１又は１２に記載の包装箱。
【請求項１４】
第４切目線において、第４切目線から連設された該一対の切目線における右側面側の切目線（Ｋ４５）よりも右側面側の切目線である第４切目線第１構成部（Ｋ４３）が、右側面側にいくほど上側となるように形成され、該一対の切目線における左側面側の切目線（Ｋ４４）よりも左側面側の切目線である第４切目線第２構成部（Ｋ４２）が、左側面側にいくほど上側となるように形成されていることを特徴とする請求項１又は２又は３又は４又は５又は６又は７又は８又は９又は１０又は１１又は１２又は１３に記載の包装箱。
【請求項１５】
側面部が、糊代部（４９）、背面部、左側面部、正面部、右側面部本体（３０）の順に連設されたブランクにより形成され、右面部が、右面部本体と糊代部により構成され、糊代部が右面部本体の外側の面に接着され、右面部本体の背面側の辺部からは、第２切目線（Ｋ３０）に連設された切欠部（ＫＶ）が形成され、該切欠部は糊代部に被覆されていることを特徴とする請求項１又は２又は３又は４又は５又は６又は７又は８又は９又は１０又は１１又は１２又は１３又は１４に記載の包装箱。
【請求項１６】
側面部が、糊代部、背面部、右側面部、正面部、左側面部本体の順に連設されたブランクにより形成され、左面部が、左面部本体と糊代部により構成され、糊代部が左面部本体の外側の面に接着され、左面部本体の背面側の辺部からは、第３切目線に連設された切欠部が形成され、該切欠部は糊代部に被覆されていることを特徴とする請求項１又は２又は３又は４又は５又は６又は７又は８又は９又は１０又は１１又は１２又は１３又は１４に記載の包装箱。
【発明の詳細な説明】
【技術分野】
【０００１】
本発明は、包装箱の側面に形成された切目線を破断することにより、包装箱の一部を除去するものに関するものである。
【背景技術】
【０００２】
従来より、包装箱の側面に形成された切目線を破断することにより、包装箱の一部を除去するものとして、特許文献１に記載の包装展示兼用箱が存在する。
【０００３】
特許文献１の包装展示兼用箱においては、図３８に示すように、端壁１００１において、切目線１０１２ａが設けられるとともに、手掛穴１０１１付近を始端として両側上方に伸びる補助罫線１０１３が設けられ、側壁１００２において、切目線１０１２ｂの中間位置から端壁１００１側の上角部に向けて補助罫線１０１４が設けられ、端壁１００１の切目線１０１２ａよりも上側の部分である上端壁１００１Ａを手掛穴１０１１の上縁に臨む部分から手前に引っ張ると、上端壁１００１Ａが補助罫線１０１３に沿って膨出するように撓み、切目線１０１２ａが切断され、これに伴い、側壁１００２の切目線１０１２ｂより上側部分である上側壁１００２Ａが内側に引っ張られ、補助罫線１０１４に沿って屈曲するように撓み、切目線１０１２ｂの端壁１００１寄りの部分が切断される。
【０００４】
図３８において、上端壁１００１Ａは、補助罫線１０１３を介して、中央領域１００１Ａ−１と、その両側の端部領域１００１Ａ−２に区画され、上側壁１００２Ａは、補助罫線１０１４を介して、上側壁本体１００２Ａ−１と端部領域１００２Ａ−２に区画されている。
【先行技術文献】
【特許文献】
【０００５】
【特許文献１】実用新案登録第３１９７４０８号公報
【発明の概要】
【発明が解決しようとする課題】
【０００６】
しかし、端壁１００１における切目線１０１２ａと端壁１００１の上辺間の長さが長くなった場合には、側壁１００２に設けられた補助罫線１０１４が長くなるため、側壁１００２における端部領域１００２Ａ−２が上側壁本体１００２Ａ−１に対して折れ曲がりにくくなり、上端壁１００１Ａを手前にひっぱって切目線１０１２ａを切断しても、切目線１０１２ｂの切断が困難になってしまうという問題があった。
【０００７】
すなわち、包装箱は通常段ボール材により形成するが、段ボール材は紙材であり柔軟性があるので、端部領域１００２Ａ−２が上側壁本体１００２Ａ−１に対して十分には折れ曲がらず、単に補助罫線１０１４を介して側壁１００２が僅かに撓る（しなる）だけとなってしまい、切目線１０１２ｂの切断が困難になってしまう。
【０００８】
そこで、本発明は、１つの側面である端壁に横方向に形成された切目線の上側領域である上端壁を外側に引っ張って該切目線を破断することにより、該端壁に連設された側壁に形成され、端壁の切目線から連続して形成された切目線を破断する包装箱において、側壁の切目線と側壁の上辺間の長さを長くした場合でも、側壁に形成された切目線の破断を容易とすることができる包装箱を提供することを目的とする。
【課題を解決するための手段】
【０００９】
本発明は上記問題点を解決するために創作されたものであって、第１には、底面部（５０）と、底面部の各辺から立設し底面部に対して略直角をなす側面部で、正面部（１０）と、左面部（２０）と、右面部（３０、３１）と、背面部（４０）とからなる側面部（５）と、側面部の上端から連設された蓋部（１２０、１３０）とを有する包装箱であって、側面部に切目線（Ｋ５）が周状に設けられ、該切目線は、正面部における右側面側の辺部と左側面側の辺部間に形成された第１切目線（Ｋ１０）と、右面部における正面側の辺部と背面側の辺部間に形成された第２切目線（Ｋ３０、Ｋ３０’、Ｋ３０’’）と、左面部における正面側の辺部と背面側の辺部間に形成された第３切目線（Ｋ２０）と、背面部における右側面側の辺部と左側面側の辺部間に形成された第４切目線（Ｋ４０）とを有し、背面部においては、背面部の第４切目線よりも下側の領域である下背面部（４２）に、第４切目線から連設された一対の切目線（Ｋ４４、Ｋ４５）が設けられ、背面部の第４切目線よりも上側の領域である上背面部（４５）に、上背面部の右側面側の辺部における下端（第４切目線の位置である下端としてもよい）から上端までの途中位置である第１途中位置（Ｐ４）と背面部の上辺の右側面側の端部から左側面側の端部までの途中位置である第２途中位置（Ｐ６、Ｐ５’）の間の位置に、第１途中位置と第２途中位置を結ぶ方向に第１折れ線（Ｃ４５）が形成され、上背面部の左側面側の辺部における下端（第４切目線の位置である下端としてもよい）から上端までの途中位置である第３途中位置（Ｐ３）と背面部の上辺の左側面側の端部から右側面側の端部までの途中位置である第４途中位置で、第２途中位置よりも左側面側に位置するか又は第２途中位置と重なる第４途中位置（Ｐ５、Ｐ５’）の間の位置に、第３途中位置と第４途中位置を結ぶ方向に第２折れ線（Ｃ４４）が形成され、第１折れ線と第２折れ線間とが、第４切目線側にいくに従い第１折れ線と第２折れ線間の長さが長くなるように形成され、上背面部が、第１折れ線よりも上側の領域である上右領域（４８Ｒ）と、第２折れ線よりも上側の領域である上左領域（４８Ｌ）と、第１折れ線及び第２折れ線よりも下側の領域である上背面部本体（４５−１）とを有し、右面部においては、右面部の第２切目線よりも上側の領域である上右面部（３５、３５’）には、上右面部の背面側の辺部における下端（第２切目線の位置である下端としてもよい）から上端までの途中位置で第１途中位置と重なる第５途中位置（Ｐ４’’、Ｐ４’）と第２切目線の背面側の端部から正面側の端部までの途中位置である第６途中位置（Ｐ１２）の間の位置に、第５途中位置と第６途中位置を結ぶ方向に第３折れ線（Ｃ３１、Ｃ３１’）が形成され、第３折れ線は下側にいくほど正面側となるように形成され、左面部においては、左面部の第３切目線よりも上側の領域である上左面部（２５）には、上左面部の背面側の辺部の下端（第３切目線の位置である下端としてもよい）から上端までの途中位置で第３途中位置と重なる第７途中位置（Ｐ３’）と第３切目線の背面側の端部から正面側の端部までの途中位置である第８途中位置（Ｐ１１）の間の位置に、第７途中位置と第８途中位置を結ぶ方向に第４折れ線（Ｃ２１）が形成され、第４折れ線は下側にいくほど正面側となるように形成され、下背面部における該一対の切目線間の領域を外側から押して、上背面部本体の下端に指をひっかけ、上背面部本体の下端を外側にひっぱることにより、上背面部本体が第２折れ線と第４折れ線を介して折曲し上背面部本体が外側に膨出して、第４切目線が破断し、上右面部における第３折れ線よりも背面側の領域である第１背面側領域（３７）が第３折れ線を介して内側に回動して第２切目線における第１背面側領域と右面部の第２切目線よりも下側の領域である下右面部（３２、３２’）間の切目線が破断するとともに、上左面部における第４折れ線よりも背面側の領域である第２背面側領域（２７）が第４折れ線を介して内側に回動して第３切目線における第２背面側領域と左面部の第３切目線よりも下側の領域である下左面部（２２）間の切目線が破断することを特徴とする。
【００１０】
第１の構成の包装箱においては、第３折れ線の上端を第５途中位置とし、第４折れ線の上端を第７途中位置としたので、第３折れ線や第４折れ線の長さを、折れ線を第６途中位置と右面部の上角部間や第８途中位置と左面部の上角部間に設ける場合に比べて、短くできるので、上背面部の下端をひっぱることにより容易に第３折れ線と第４折れ線がが折れ曲がるので、第２切目線における第１背面側領域と下右面部間の切目線と第３切目線における第２背面側領域と下左面部間の切目線をの破断を容易とすることができる。
【００１１】
また、第１途中位置と第５途中位置とが一致していて、第１折れ線と第３折れ線（又はそれらの延長線）は該途中位置で接しているので、上背面部本体が外側に膨出することによりスムーズに第１背面側領域が回動し、第２切目線における第１背面側領域と下右面部間の切目線の破断が容易となり、同様に、第３途中位置と７５途中位置とが一致していて、第２折れ線と４３折れ線（又はそれらの延長線）は該途中位置で接しているので、上背面部本体が外側に膨出することによりスムーズに第２背面側領域が回動し、第３切目線における第２背面側領域と下左面部間の切目線の破断が容易となる。
【００１２】
また、第２には、上記第１の構成において、第２切目線における第１背面側領域と下右面部間の切目線と第３切目線における第２背面側領域と下左面部間の切目線を破断した後に、上背面部の下端を上方にひっぱることにより、第２切目線における第３折れ線よりも正面側の領域である第１正面側領域（２６）と下右面部間の切目線が破断するとともに、第３切目線における第４折れ線よりも正面側の領域である第２正面側領域（３６）と下左面部間の切目線が破断し、さらに、第１切目線を破断することにより、正面部における第１切目線よりも上側の領域である上正面部（１５）と上右面部と上左面部と上背面部と蓋部とからなる上側構成部（Ａ−２）が取り除かれることを特徴とする。
【００１３】
また、第３には、上記第１又は第２の構成において、第１途中位置が、第１途中位置と、第４切目線から連設された一対の切目線のうち右側面側の切目線である右切目線（Ｋ４５）の上端である右切目線と第４切目線の接点（Ｐ２）との間の上下方向の長さ（Ｌ２１）と、第１途中位置と上背面部の上辺との間の上下方向の長さ（Ｌ２２）とが略同一である位置にあり、第３途中位置が、第３途中位置と、第４切目線から連設された一対の切目線のうち左側面側の切目線である左切目線（Ｋ４４）の上端である左切目線と第４切目線の接点（Ｐ１）との間の上下方向の長さ（Ｌ１１）と、第３途中位置と上背面部の上辺との間の上下方向の長さ（Ｌ１２）とが略同一である位置にあることを特徴とする。
【００１４】
よって、第１折れ線や第２折れ線の水平方向に対する角度を略４５度にしやすく、第４切目線や第２切目線における第１背面側領域と下右面部間の切目線や第３切目線における第２背面側領域と下左面部間の切目線の破断が容易となる。
【００１５】
なお、上記第３の構成において、「第１途中位置と、第４切目線から連設された一対の切目線のうち右側面側の切目線である右切目線（Ｋ４５）の上端である右切目線と第４切目線の接点（Ｐ２）との間の上下方向の長さ（Ｌ２１）と、第１途中位置と上背面部の上辺との間の上下方向の長さ（Ｌ２２）と、第３途中位置と、第４切目線から連設された一対の切目線のうち左側面側の切目線である左切目線（Ｋ４４）の上端である左切目線と第４切目線の接点（Ｐ１）との間の上下方向の長さ（Ｌ１１）と、第３途中位置と上背面部の上辺との間の上下方向の長さ（Ｌ１２）とが略同一である。」としてもよい。
【００１６】
なお、上記第３の構成を以下のようにしてもよい。すなわち、「第１途中位置が、第１途中位置と上背面部の右側面側の辺部の下端の間の長さ（Ｌ２１）と、第１途中位置と上背面部の上辺との間の上下方向の長さ（Ｌ２２）とが略同一である位置にあり、第３途中位置が、第３途中位置と上背面部の左側面側の辺部の下端の間の長さ（Ｌ１１）と、第３途中位置と上背面部の上辺との間の上下方向の長さ（Ｌ１２）とが略同一である位置にあることを特徴とする。」としてもよい。
【００１７】
また、第４には、上記第１から第３までのいずれかの構成において、第１折れ線の角度で水平方向である背面部の下辺の方向に対する角度と、第３折れ線の角度で水平方向である右側面部の下辺の方向に対する角度が略同一であり、第２折れ線の角度で水平方向である背面部の下辺の方向に対する角度と、第４折れ線の角度で水平方向である左側面部の下辺の方向に対する角度が略同一であることを特徴とする。
【００１８】
また、第５には、上記第１から第４までのいずれかの構成において、第４切目線の右側面側の端部から左側面側の端部までの途中位置である第９途中位置（Ｐ２）と第１途中位置の間の位置に、第９途中位置と第１途中位置を結ぶ方向に第５折れ線（Ｃ４３）が形成され、第４切目線の左側面側の端部から右側面側の端部までの途中位置で第９途中位置よりも左側面側の位置である第１０途中位置（Ｐ１）と第３途中位置の間の位置に、第１０途中位置と第３途中位置を結ぶ方向に第６折れ線（Ｃ４２）が形成され、上背面部本体の下端を外側にひっぱることにより、上背面部本体が、第５折れ線と第６折れ線を介して折曲することを特徴とする。
【００１９】
よって、上背面部本体の下端を外側にひっぱることにより、第５折れ線よりも右側面側の領域である右側領域が、第５折れ線を介して上背面部本体における第５折れ線と第６折れ線間の領域である中央領域に対して折曲するとともに、第６折れ線よりも左側面側の領域である左側領域が、第６折れ線を介して該中央領域に対して折曲するので、第４切目線における左側領域と下背面部間の切目線と右側領域と下背面部間の切目線を容易に破断することができる。
【００２０】
なお、上記第５の構成を以下のようにしてもよい。すなわち、「第４切目線から連設された該一対の切目線における右側面側の切目線の第４切目線との連設位置である第１連設位置（Ｐ２）と第１途中位置の間の位置に、第１連設位置と第１途中位置を結ぶ方向に第５折れ線（Ｃ４３）が形成され、該一対の切目線における左側面側の切目線の第４切目線との連設位置である第２連設位置（Ｐ１）と第３途中位置の間の位置に、第２連設位置と第３途中位置を結ぶ方向に第６折れ線（Ｃ４２）が形成され、上背面部本体の下端を外側にひっぱることにより、上背面部本体が、第５折れ線と第６折れ線を介して折曲することを特徴とする。」としてもよい。
【００２１】
また、第６には、上記第５の構成において、第４切目線における位置で背面部の右側面側の辺部までの距離と左側面側の辺部までの距離が略同一の位置である第１中央位置（Ｐ９）と背面部４０の上辺における左右方向において第１中央位置と同じ位置である第２中央位置（Ｐ１０）の間の位置に、第１中央位置と第２中央位置を結ぶ方向に第７折れ線（Ｃ４６）が形成され、上背面部本体の下端を外側にひっぱることにより、上背面部本体が、第７折れ線を介して折曲することを特徴とする。
【００２２】
よって、上背面部の下端を外側にひっぱりやすくすることができ、第４切目線における左側領域と下背面部間の切目線と右側領域と下背面部間の切目線を容易に破断することができる。
【００２３】
なお、上記第６の構成を以下のようにしてもよい。すなわち、「第４切目線における第１連設位置と第２連設位置の間の位置で、第１連設位置及び第２連設位置から略等距離の位置である第１中央位置（Ｐ９）と背面部４０の上辺における左右方向において第１中央位置と同じ位置である第２中央位置（Ｐ１０）の間の位置に、第１中央位置と第２中央位置を結ぶ方向に第７折れ線（Ｃ４６）が形成され、上背面部本体の下端を外側にひっぱることにより、上背面部本体が、第７折れ線を介して折曲することを特徴とする。」としてもよい。
【００２４】
また、第７には、上記第１から第４までのいずれかの構成において、第４切目線の右側面側の端部から左側面側の端部までの途中位置である第９途中位置（Ｐ２）と背面部の上辺における位置である第１対応位置（Ｐ６）の間の位置に、第９途中位置と第１対応位置を結ぶ方向に第８折れ線（Ｃ４８）が上下方向に形成され、第４切目線の左側面側の端部から右側面側の端部までの途中位置で第９途中位置よりも左側面側の位置である第１０途中位置（Ｐ１）と背面部の上辺における位置で第１対応位置よりも左側面側の位置である第２対応位置（Ｐ５）の間の位置に、第１０途中位置と第２対応位置を結ぶ方向に第９折れ線（Ｃ４７）が上下方向に形成され、上背面部本体の下端を外側にひっぱることにより、上背面部本体が、第８折れ線と第９折れ線を介して折曲することを特徴とする。
【００２５】
よって、上背面部本体の下端を外側にひっぱることにより、第８折れ線よりも右側面側の領域である右側領域が、第８折れ線を介して上背面部本体における第５折れ線と第６折れ線間の領域である中央領域に対して折曲するとともに、第９折れ線よりも左側面側の領域である左側領域が、第９折れ線を介して該中央領域に対して折曲するので、第４切目線における左側領域と下背面部間の切目線と右側領域と下背面部間の切目線を容易に破断することができる。
【００２６】
なお、上記第７の構成を以下のようにしてもよい。すなわち、「第４切目線から連設された該一対の切目線における右側面側の切目線の第４切目線との連設位置である第１連設位置（Ｐ２）と背面部の上辺における位置である第１対応位置（Ｐ６）の間の位置に、第１連設位置と第１対応位置を結ぶ方向に第８折れ線（Ｃ４８）が上下方向に形成され、該一対の切目線における左側面側の切目線の第４切目線との連設位置である第２連設位置（Ｐ２）と背面部の上辺における位置で第１対応位置よりも左側面側の位置である第２対応位置（Ｐ５）の間の位置に、第２連設位置と第２対応位置を結ぶ方向に第９折れ線（Ｃ４７）が上下方向に形成され、上背面部本体の下端を外側にひっぱることにより、上背面部本体が、第８折れ線と第９折れ線を介して折曲することを特徴とする。」としてもよい。
【００２７】
また、第８には、上記第７の構成において、第８折れ線の上端と第１対応位置の間には、間隔が設けられ、第９折れ線の上端と第２対応位置の間には、間隔が設けられていることを特徴とする。よって、上背面部の第１折れ線と第２折れ線を介した折曲げを促すことができ、第４切目線を破断しやすくすることができる。
【００２８】
また、第９には、上記第１から第４までのいずれかの構成において、第４切目線における位置で背面部の右側面側の辺部までの距離と左側面側の辺部までの距離が略同一の位置である第１中央位置（Ｐ９）と背面部４０の上辺における左右方向において第１中央位置と同じ位置である第２中央位置（Ｐ５’）の間の位置に、第１中央位置と第２中央位置を結ぶ方向に第１０折れ線（Ｃ４６）が形成され、上背面部本体の下端を外側にひっぱることにより、上背面部本体が、第１０折れ線を介して折曲することを特徴とする。
【００２９】
よって、上背面部本体の下端を外側にひっぱることにより、第１０折れ線を介して上背面部本体が折曲するので、第４切目線における左側領域と下背面部間の切目線と右側領域と下背面部間の切目線を容易に破断することができる。
【００３０】
なお、第９の構成を以下のようにしてもよい。すなわち、「第４切目線における位置で、第４切目線から連設された該一対の切目線における右側面側の切目線の第４切目線との連設位置である第１連設位置（Ｐ２）と該一対の切目線における左側面側の切目線の第４切目線との連設位置である第２連設位置（Ｐ１）の間にあり、第１連設位置及び第２連設位置から略等距離の位置である第１中央位置（Ｐ９）と背面部４０の上辺における左右方向において第１中央位置と同じ位置である第２中央位置（Ｐ５’）の間の位置に、第１中央位置と第２中央位置を結ぶ方向に第１０折れ線（Ｃ４６）が形成され、上背面部本体の下端を外側にひっぱることにより、上背面部本体が、第１０折れ線を介して折曲することを特徴とする。」としてもよい。
【００３１】
また、第１０には、上記第１から第９までのいずれかの構成において、第２切目線が、第２切目線の背面側の端部から形成された第２切目線主構成部（Ｋ３４、Ｋ３４’、Ｋ３４’’）を有し、第２切目線主構成部は、正面側にいくほど上側となるように形成され、第３切目線が、第３切目線の背面側の端部から形成された第３切目線主構成部（Ｋ２４）を有し、第３切目線主構成部は、正面側にいくほど上側となるように形成され、第６途中位置は、第２切目線主構成部における背面側の端部から正面側の端部までの途中位置に位置し、第８途中位置は、第３切目線主構成部における背面側の端部から正面側の端部までの途中位置に位置することを特徴とする。
【００３２】
よって、第２切目線主構成部と第３切目線主構成部とが正面側にいくに従い上側となるように形成されているので、第２切目線主構成部と第３切目線主構成部の破断が容易となる。
【００３３】
また、第１１には、上記第１０の構成において、第２切目線主構成部の正面側の端部から右面部の背面側の辺部までの前後方向の長さ（Ｌ３４）は、右面部における背面側の辺部から正面側の辺部までの前後方向の長さ（Ｌ３０）の半分以上の長さを有し、第３切目線主構成部の正面側の端部から右面部の背面側の辺部までの前後方向の長さ（Ｌ２４）は、左面部における背面側の辺部から正面側の辺部までの前後方向の長さ（Ｌ２０）の半分以上の長さを有していることを特徴とする。
【００３４】
また、第１２には、上記第１０又は第１１の構成において、第６途中位置から右側面部の背面側の辺部までの長さ（Ｌ３４−１’）は、第２切目線主構成部の正面側の端部から右側面部の背面側の辺部までの前後方向の長さ（Ｌ３４）の半分と略同一であり、第８途中位置から左側面部の背面側の辺部までの長さ（Ｌ２４−１）は、第３切目線主構成部の正面側の端部から右側面部の背面側の辺部までの前後方向の長さ（Ｌ２４）の半分と略同一であることを特徴とする。
【００３５】
また、第１３には、上記第１０から第１２までのいずれかの構成において、第２切目線において、第２切目線主構成部の正面側の端部から右側面部の正面側の辺部まで形成された切目線（Ｋ３２）が、正面側にいくほど下側となるように形成され、第３切目線において、第３切目線主構成部の正面側の端部から左側面部の正面側の辺部まで形成された切目線（Ｋ２２）が、正面側にいくほど下側となるように形成されていることを特徴とする。
【００３６】
よって、正面部における第１切目線よりも上側の領域である上正面部（１５）と上右面部と上左面部と上背面部と蓋部とからなる上側構成部を正面側又は正面下側にひっぱることにより、第２切目線における第２切目線主構成部よりも正面側の切目線と第３切目線における第３切目線主構成部よりも正面側の切目線を破断することができる。
【００３７】
なお、第１３の構成を以下のようにしてもよい。すなわち、「第２切目線における第２切目線主構成部よりも正面側の切目線（Ｋ３２）が、正面側にいくほど下側となるように形成され、第３切目線における第３切目線主構成部よりも正面側の切目線（Ｋ２２）が、正面側にいくほど下側となるように形成されていることを特徴とする。」としてもよい。
【００３８】
また、第１４には、上記第１から第１３までのいずれかの構成において、第４切目線において、第４切目線から連設された該一対の切目線における右側面側の切目線（Ｋ４５）よりも右側面側の切目線である第４切目線第１構成部（Ｋ４３）が、右側面側にいくほど上側となるように形成され、該一対の切目線における左側面側の切目線（Ｋ４４）よりも左側面側の切目線である第４切目線第２構成部（Ｋ４２）が、左側面側にいくほど上側となるように形成されていることを特徴とする。よって、第４切目線における該右側面側の切目線と第４切目線における該左側面側の切目線とを破断しやすくすることができる。
【００３９】
また、第１５には、上記第１から第１４までのいずれかの構成において、側面部が、糊代部（４９）、背面部、左側面部、正面部、右側面部本体（３０）の順に連設されたブランクにより形成され、右面部が、右面部本体と糊代部により構成され、糊代部が右面部本体の外側の面に接着され、右面部本体の背面側の辺部からは、第２切目線（Ｋ３０）に連設された切欠部（ＫＶ）が形成され、該切欠部は糊代部の内側に設けられていることを特徴とする。
【００４０】
よって、切欠部がない場合には、右面部本体と糊代部が重なった部分では、右面部本体の第２切目線と糊代部の第２切目線の両方を破断しなければならないが、切欠部が設けられていることにより、糊代部の第２切目線のみを破断すればよいので、第２切目線の破断が容易となる。また、該切欠部は糊代部に被覆されているので、切欠部が設けられることにより見栄えが悪くなることがない。
【００４１】
また、第１６には、上記第１から第１４までのいずれかの構成において、側面部が、糊代部、背面部、右側面部、正面部、左側面部本体の順に連設されたブランクにより形成され、左面部が、左面部本体と糊代部により構成され、糊代部が左面部本体の外側の面に接着され、左面部本体の背面側の辺部からは、第３切目線に連設された切欠部が形成され、該切欠部は糊代部に被覆されていることを特徴とする。
【００４２】
よって、切欠部がない場合には、左面部本体と糊代部が重なった部分では、左面部本体の第３切目線と糊代部の第３切目線の両方を破断しなければならないが、切欠部が設けられていることにより、糊代部の第３切目線のみを破断すればよいので、第３切目線の破断が容易となる。また、該切欠部は糊代部に被覆されているので、切欠部が設けられることにより見栄えが悪くなることがない。
【００４３】
なお、上記第１から第１６までの各構成において、各折れ線が、折曲げ用の罫線により形成されているものとしてもよい。
【発明の効果】
【００４４】
本発明に基づく包装箱によれば、背面部の上辺と第４切目線間の長さが長くなっても、第３折れ線及び第４折れ線の長さを短くでき、上背面部の下端をひっぱることにより容易に第３折れ線及び第４折れ線が折れ曲がるので、第１背面側領域と下右面部間の切目線と第２背面側領域と下左面部間の切目線を容易とすることができる。
【図面の簡単な説明】
【００４５】
【図１】包装箱の左側前方斜視図である（実施例１）。
【図２】包装箱の右側前方斜視図である（実施例１）。
【図３】包装箱の左側後方斜視図である（実施例１）。
【図４】包装箱の右側後方斜視図である（実施例１）。
【図５】包装箱の底面図である（実施例１、実施例２、実施例３）。
【図６】包装箱の外側面から見た展開図である（実施例１）。
【図７】図６の要部拡大図である。
【図８】図６の要部拡大図である。
【図９】包装箱の内側面から見た展開図である（実施例１）。
【図１０】包装箱の使用方法を説明する右側後方斜視図である（実施例１）。
【図１１】包装箱の使用方法を説明する右側後方斜視図である（実施例１）。
【図１２】包装箱の使用方法を説明する右側後方斜視図である（実施例１）。
【図１３】包装箱の使用方法を説明する右側後方斜視図である（実施例１、実施例２、実施例３）。
【図１４】包装箱の使用方法を説明する左側前方斜視図である（実施例１、実施例２、実施例３）。
【図１５】包装箱の作用を説明するための説明図である。
【図１６】包装箱の左側前方斜視図である（実施例２）。
【図１７】包装箱の右側前方斜視図である（実施例２）。
【図１８】包装箱の左側後方斜視図である（実施例２）。
【図１９】包装箱の右側後方斜視図である（実施例２）。
【図２０】包装箱の外側面から見た展開図である（実施例２）。
【図２１】図２０の要部拡大図である。
【図２２】図２０の要部拡大図である。
【図２３】包装箱の内側面から見た展開図である（実施例２）。
【図２４】包装箱の使用方法を説明する右側後方斜視図である（実施例２）。
【図２５】包装箱の使用方法を説明する右側後方斜視図である（実施例２）。
【図２６】包装箱の使用方法を説明する右側後方斜視図である（実施例２）。
【図２７】包装箱の左側前方斜視図である（実施例３）。
【図２８】包装箱の右側前方斜視図である（実施例３）。
【図２９】包装箱の左側後方斜視図である（実施例３）。
【図３０】包装箱の右側後方斜視図である（実施例３）。
【図３１】包装箱の外側面から見た展開図である（実施例３）。
【図３２】図３１の要部拡大図である。
【図３３】図３１の要部拡大図である。
【図３４】包装箱の内側面から見た展開図である（実施例３）。
【図３５】包装箱の使用方法を説明する右側後方斜視図である（実施例３）。
【図３６】包装箱の使用方法を説明する右側後方斜視図である（実施例３）。
【図３７】包装箱の使用方法を説明する右側後方斜視図である（実施例３）。
【図３８】従来例を示す要部展開図である。
【発明を実施するための形態】
【００４６】
本発明においては、１つの側面である端壁に横方向に形成された切目線の上側領域である上端壁を外側に引っ張って該切目線を破断することにより、該端壁に連設された側壁に形成され、端壁の切目線から連続して形成された切目線を破断する包装箱において、側壁の切目線と側壁の上辺間の長さを長くした場合でも、側壁に形成された切目線の破断を容易とすることができる包装箱を提供することを目的を以下のようにして実現した。
【実施例１】
【００４７】
本発明に基づく包装箱Ａ１は、図１〜図９に示されるように構成され、スリーブ状部５と、底面部５０と、蓋部１１０、１４０と、フラップ部１２０、１３０とを有している。
【００４８】
ここで、スリーブ状部（側面部）５は、正面部１０と、正面部１０の左側面側の辺部から折れ線Ｃ２０を介して連設された左側面部（左面部）２０と、正面部１０の右側面側の辺部から折れ線Ｃ３０を介して連設された右側面部３０と、左側面部２０の背面側の辺部から折れ線Ｃ４０を介して連設された背面部４０と、背面部４０の右側面側の辺部から折れ線Ｃ４８を介して連設された糊代部４９とを有している。折れ線Ｃ２０と折れ線Ｃ３０と折れ線Ｃ４０と折れ線Ｃ４８とは互いに平行となっている。なお、包装箱Ａ１の内側の面には、折れ線Ｃ２０、Ｃ３０、Ｃ４０、Ｃ４８に沿って折曲げ用の罫線が形成されている（つまり、折れ線Ｃ２０、Ｃ３０、Ｃ４０、Ｃ４８は、折曲げ用の罫線により形成されている。）。
【００４９】
包装箱Ａ１は、１枚のシート状のブランク（具体的には段ボール（特に、両面段ボール）であり、厚紙等でもよい）により形成されている。なお、両面段ボールにおける中芯の段の方向は、図６（実施例２の包装箱Ａ２では、図２０、実施例３の包装箱Ａ３では、図３１）に示す円内に示す方向（折れ線Ｃ２０、Ｃ３０、Ｃ４０と平行な方向）である（中芯の段の方向は他の方向でもよい。）。
【００５０】
正面部１０と左側面部２０と右側面部３０と背面部４０は、方形状（具体的には、方形状の平板状）を呈し、正面部１０と背面部４０は、縦長の長方形状を呈している。
【００５１】
正面部１０と左側面部２０と右側面部３０と背面部４０における縦方向の長さは略同一に形成されている。
【００５２】
また、横方向には、正面部１０と背面部４０とは同一の長さに形成され、左側面部２０と右側面部３０とは略同一の長さに形成されている（具体的には、右側面部３０の横方向の長さが左側面部２０の横方向の長さよりも若干小さく形成されている）。
【００５３】
糊代部４９は、略台形形状に形成され、右側面部３０の背面側の端部領域の外側の面に接着されている。なお、糊代部４９を右側面部３０の背面側の端部領域の内側の面に接着したものでもよい。糊代部４９は、右側面部３０に接着されるので、右側面部３０と糊代部４９とで包装箱Ａ１の右面部３１が構成されるともいえる。つまり、右側面部３０を右面部とすることもできるし、右側面部３０と糊代部４９とで右面部が構成されるとすることもできる。
【００５４】
右側面部３０の背面側の辺部（背面側の端部としてもよい）には、切目線Ｋ３０の位置に切欠部ＫＶが形成されている。すなわち、切欠部ＫＶは、２つの直線状の辺部により形成された略Ｖ字状を呈し、右側面部３０の背面側から正面側に向けて２つの辺部間の間隔が小さくなるように形成されている。切欠部ＫＶの横方向の長さは、糊代部４９の横方向の長さと同一（略同一としてもよい）となっていて、少なくとも糊代部４９の横方向の長さ以下の長さを有し、切欠部ＫＶは糊代部４９に被覆されている。切欠部ＫＶの先端（正面側の端部）からは切目線Ｋ３４が連設されている。この切欠部ＫＶが設けられていることにより、糊代部４９と右側面部３０とが重なった領域における切目線を破断する際に、糊代部４９の切目線Ｋ４９のみを破断すればよいので、破断が容易となる。なお、糊代部４９は右側面部３０の外側に接着されるので、切欠部ＫＶが設けられることにより見栄えが悪くなることがない。
【００５５】
なお、糊代部４９は、背面部４０の右側面側の辺部から連設されているとしたが、前後方向の中心面を介して左右面対称の構成（包装箱Ａ１の展開状態では、表裏を逆にした線対称の構成）として、糊代部４９が背面部４０の左側面側の辺部から連設され、左側面部２０の外側の面に接着される構成としてもよい。その場合に、左面部が、左側面部２０と糊代部により構成されるとした場合には、左側面部２０は、左面部本体となる。つまり、左側面部２０を左面部とすることもできるし、左側面部２０と左側面部２０に接着された糊代部とで左面部が構成されるとすることもできる。
【００５６】
また、糊代部４９は、背面部４０から連設されているが、右側面部３０の背面側の端部から連設され、背面部４０の外側の面の右側面側の端部に接着された構成としてもよい。その場合には、該糊代部には、折れ線Ｃ４３、Ｃ４５の一部と一致した折れ線が形成され、切目線Ｋ４３の一部と一致した切目線が形成され、切欠部（切欠部ＫＶと同様の構成の切欠部）は、背面部４０の切目線Ｋ４３の端部位置に設けられることになる。また、前後方向の中心面を介して左右面対称の構成とした場合にも、糊代部が左側面部２０の背面側の辺部から連設され、背面部４０の外側の面の左側面側の端部に接着された構成としてもよい。ただし、背面部４０には、折れ線Ｃ４２、Ｃ４３、Ｃ４４、Ｃ４５（特に、折れ線Ｃ４４、Ｃ４５）が設けられており、それらの折れ線を介して折曲を容易とするために、糊代部は背面部４０から連設された構成とするのが好ましい。
【００５７】
スリーブ状部５には、切目線（切断予定線としてもよい）Ｋ５が形成されている。すなわち、切目線Ｋ５は、正面部１０に形成された切目線Ｋ１０と、左側面部２０に形成された切目線Ｋ２０と、右側面部３０に形成された切目線Ｋ３０と、背面部４０に形成された切目線Ｋ４０と、糊代部４９に形成された切目線Ｋ４９とを有している。切目線Ｋ２０は、切目線Ｋ１０における切目線Ｋ１６の左側面側の端部から連続して形成され、切目線Ｋ３０は、切目線Ｋ１０における切目線Ｋ１７の右側面側の端部から連続して形成され、切目線Ｋ４０は、切目線Ｋ２０の背面側の端部から連続して形成され、切目線Ｋ４９は、切目線Ｋ４０の右側面側の端部から連続して形成されている。なお、糊代部４９が右側面部３０に接着された状態では、切目線Ｋ３０の背面側の端部と切目線Ｋ４９とは重なるので、切目線Ｋ３０は、切目線Ｋ４０の右側面側の端部から連続して形成されているといえる。切目線Ｋ１０、Ｋ２０、Ｋ３０、Ｋ４０はいずれも切断予定線により形成されている。つまり、切目線Ｋ５は、切目線Ｋ１０と切目線Ｋ２０と切目線Ｋ３０と切目線Ｋ４０とで切目線が周状（ループ状としてもよい）に設けられている。
【００５８】
切目線Ｋ５を構成する切込みは、切目線Ｋ１０、Ｋ１１、Ｋ１２を除き、主として略への字状の切込み２１０又は切込み２１０と線対称の切込み２２０を列状に配置することにより形成されている。切目線Ｋ１０、Ｋ１１、Ｋ１２は、切断方向に沿った直線状又は曲線状の切目線により形成されている。切込み２１０、２２０は、切目線において、従来からある一般的な形状の切込みであるといえ、切込み２１０、２２０は、ブランクの一方の面から他方の面まで貫通して形成されている。
【００５９】
ここで、切目線Ｋ１０は、正面部１０の下側領域に左右方向に直線状に形成された切目線Ｋ１１と、切目線Ｋ１１の左側面側の端部から略円弧状に形成された切目線Ｋ１２と、切目線Ｋ１１の右側面側の端部から略円弧状に形成された切目線Ｋ１３と、切目線Ｋ１２の上端から上下方向（高さ方向としてもよい。他においても同じ）に直線状に形成された切目線Ｋ１４と、切目線Ｋ１３の上端から上下方向に直線状に形成された切目線Ｋ１５と、切目線Ｋ１４の上端から左側面側斜め上方に直線状に形成された切目線Ｋ１６と、切目線Ｋ１５の上端から右側面側斜め上方に直線状に形成された切目線Ｋ１７とを有している。切目線Ｋ１１と切目線Ｋ１２と切目線Ｋ１３と切目線Ｋ１４と切目線Ｋ１５とで全体に略Ｕ字状を呈している。
【００６０】
また、切目線（第３切目線）Ｋ２０は、切目線（第３切目線副構成部）Ｋ２２と、切目線（第３切目線主構成部）Ｋ２４とを有し、切目線Ｋ２２は、切目線Ｋ１５の左側面側の端部から連続して形成され（「連設され」としてもよい。他においても同じ。）、左側面部２０の正面側の辺部から背面側に行くに従い上側となる方向に形成され、切目線Ｋ２４は、切目線Ｋ２２の背面側の端部から連続して形成され、背面側にいくに従い下側となる方向に形成されている。
【００６１】
切目線Ｋ２２、Ｋ２４は、複数の切込み２１０を間隔を介して列状に配置することにより形成されている。
【００６２】
切目線Ｋ２２における複数の切込み２１０の配設方向は、左側面部２０の正面側の端部から背面側にいくに従い上方となるように（つまり、水平方向（例えば、左側面部２０の下辺の方向）に対して斜め上方に傾斜して）直線状に形成され、切目線Ｋ２４における複数の切込み２１０の配設方向は、切目線Ｋ２４の背面側の端部から背面側にいくに従い下方となるように（つまり、斜め下方に傾斜して）直線状に形成されている。つまり、切目線Ｋ２４は、背面側から正面側にいくに従い上方となるように（つまり、水平方向に対して斜め上方に傾斜して）直線状に形成されている。なお、左側面部２０の下辺に対する傾斜角度としては、切目線Ｋ２２が切目線Ｋ２４よりも大きく形成され、切目線Ｋ２４は、背面側から正面側に向けてなだらかな上向きとなっていて、切目線Ｋ２２は、正面側から背面側に向けて、切目線Ｋ２４よりも水平方向に対して大きな角度で上向きとなっている。切目線Ｋ２２は、切目線Ｋ２４の正面側の端部から左側面部２０の正面側の辺部まで形成され、正面側にいくほど下側となるように形成されている。
【００６３】
切目線Ｋ２４の正面側の端部から背面側の端部までの前後方向の長さ（左側面部２０の下辺の方向の長さ）Ｌ２４は、切目線Ｋ２２の正面側の端部から背面側の端部までの前後方向の長さ（左側面部２０の下辺の方向の長さ）Ｌ２２よりも長く形成されている（つまり、長さＬ２４は、左側面部２０の背面側の端部から正面側の端部までの前後方向の長さＬ２０の半分以上の長さを有している）。なお、具体的には、長さＬ２２は、長さＬ２０の１／４〜１／３とする（つまり、長さＬ２４は、長さＬ２０の２／３〜３／４とする）。
【００６４】
また、切目線Ｋ２４における下左側面部２２と背面側領域２７間の部分の切目線Ｋ２４−１の前後方向の長さ（途中位置Ｐ１１から折れ線Ｃ４０までの長さ）Ｌ２４−１は、長さＬ２０の１／３（略１／３としてもよい）となっている。すなわち、切目線Ｋ２４−１の前後方向の長さは、切目線Ｋ２０の切目線Ｋ２４−１以外の部分（つまり、切目線Ｋ２２と切目線Ｋ２４における切目線Ｋ２４−１以外の部分である切目線Ｋ２４−２とを合わせた部分）の前後方向の長さの半分（切目線Ｋ２２と切目線Ｋ２４の境界位置から左側面部２０の背面側の辺部までの長さの半分）と同一（略同一としてもよい）である。つまり、長さＬ２４−１を、長さＬ２０の１／３（略１／３としてもよい）とすることにより、背面側領域２７が正面側領域２６に対して回動しやすく、切目線Ｋ２４−１を破断しやすい。切目線Ｋ２４−１は、切目線Ｋ２４の一部であり、切目線Ｋ２４と折れ線Ｃ２１の接点（折れ線Ｃ２１が切目線Ｋ２４と接していない場合には、折れ線Ｃ２１の延長線の切目線Ｋ２４との接点）から切目線Ｋ２４の背面側の端部までとなる。下左側面部２２、背面側領域２７、折れ線Ｃ２１については、後述する。
【００６５】
なお、包装箱Ａ１の展開状態においては、切目線Ｋ１６と切目線Ｋ２２とで、切込み２１０が１つの直線状に配設されている。
【００６６】
また、切目線（第２切目線）Ｋ３０は、切目線（第２切目線副構成部）Ｋ３２と、切目線（第２切目線主構成部）Ｋ３４とを有し、切目線Ｋ３２は、切目線Ｋ１６の右側面側の端部から連続して形成され、右側面部３０の正面側の辺部から背面側に行くに従い上側となる方向に形成され、切目線Ｋ３４は、切目線Ｋ３２の背面側の端部から連続して形成され、背面側にいくに従い下側となる方向に形成されている。つまり、切目線Ｋ３０は、切目線Ｋ２０と略左右対称に形成され（切欠部ＫＶを除けば左右対称）、包装箱Ａ１の展開状態では、略線対称に形成されている（切欠部ＫＶを除けば線対称に形成されている）。すなわち、切目線Ｋ３２は、切目線Ｋ２２と左右対称に形成され、切目線Ｋ３４は、切目線Ｋ２４と略左右対称（切欠部ＫＶを除けば左右対称）に形成されている。
【００６７】
なお、右側面部３０において切欠部ＫＶが設けられた位置では、切欠部ＫＶの先端（最奥）の位置が右側面部３０における背面側の端部となり、その意味では、切目線Ｋ３０は、右側面部３０における正面側の端部と背面側の端部間に形成されているといえる。また、切欠部ＫＶを第３切目線の一部とみなす（つまり、切目線Ｋ３０と切欠部ＫＶとで第３切目線としての切目線Ｋ３０’が構成されるとする）とともに、切欠部ＫＶの基端位置を右側面部３０の端部とすることによっても、切目線Ｋ３０は、右側面部３０における正面側の端部と背面側の端部間に形成されているといえる。
【００６８】
また、右側面部３０と糊代部４９とで右面部３１が構成されるとした場合に、切目線Ｋ３０と切目線Ｋ４９により第３切目線としての切目線Ｋ３０’’が構成されるとしてもよい。
【００６９】
また、切目線Ｋ３４と切欠部ＫＶとで第３切目線主構成部としての切目線Ｋ３４’が構成されるとしてもよく、また、右側面部３０と糊代部４９とで右面部３１が構成されるとした場合に、切目線Ｋ３４と切目線Ｋ４９により第３切目線主構成部としての切目線Ｋ３４’’が構成されるとしてもよい。
【００７０】
切目線Ｋ３２、Ｋ３４は、複数の切込み２２０を間隔を介して列状に配置することにより形成されている。
【００７１】
切目線Ｋ３２における複数の切込み２２０の配設方向は、右側面部３０の正面側の端部から背面側にいくに従い上方となるように（つまり、斜め上方に傾斜して）直線状に形成され、切目線Ｋ３４における複数の切込み２２０の配設方向は、切目線Ｋ３２の背面側の端部から背面側にいくに従い下方となるように（つまり、斜め下方に傾斜して）直線状に形成されている。つまり、切目線Ｋ３４は、背面側から正面側にいくに従い上方となるように（つまり、斜め上方に傾斜して）直線状に形成されている。なお、右側面部３０の下辺に対する傾斜角度としては、切目線Ｋ３２が切目線Ｋ３４よりも大きく形成され、切目線Ｋ３４は、背面側から正面側に向けてなだらかな上向きとなっていて、切目線Ｋ３２は、正面側から背面側に向けて、切目線Ｋ３４よりも水平方向に対して大きな角度で上向きとなっている。切目線Ｋ３２は、切目線Ｋ３４の正面側の端部から右側面部３０の正面側の辺部まで形成され、正面側にいくほど下側となるように形成されている。
【００７２】
切目線Ｋ３４の正面側の端部から切欠部ＫＶの背面側の端部までの前後方向の長さ（右側面部３０の下辺の方向の長さ）Ｌ３４は、切目線Ｋ３２の正面側の端部から背面側の端部までの前後方向の長さ（右側面部３０の下辺の方向の長さ）Ｌ３２よりも長く形成されている（つまり、長さＬ３４は、右側面部３０の背面側の端部から正面側の端部までの前後方向の長さＬ３０の半分以上の長さを有している）。なお、具体的には、長さＬ３２は、長さＬ３０の１／４〜１／３とする（つまり、長さＬ３４は、長さＬ３０の２／３〜３／４とする）。
【００７３】
また、切目線Ｋ３４における下右側面部３２と背面側領域３７間の部分の切目線Ｋ３４−１の正面側の端部から切欠部ＫＶの背面側の端部までの前後方向の長さ（途中位置Ｐ１２から右側面部３０の背面側の辺部からの長さ）Ｌ３４−１’（途中位置Ｐ１２から右側面部３０の背面側の辺部までの長さ）は、長さＬ３０の１／３（略１／３としてもよい）となっている。すなわち、長さＬ３４−１’は、切目線Ｋ３０の切目線Ｋ３４−１以外の部分（つまり、切目線Ｋ３２と切目線Ｋ３４における切目線Ｋ３４−１以外の部分である切目線Ｋ３４−２とを合わせた部分）の前後方向の長さの半分（切目線Ｋ３２と切目線Ｋ３４の境界位置から右側面部３０の背面側の辺部までの長さの半分）と同一（略同一としてもよい）である。つまり、長さＬ３４−１’を、長さＬ３０の１／３（略１／３としてもよい）とすることにより、背面側領域３７が正面側領域３６に対して回動しやすく、切目線Ｋ３４−１を破断しやすい。切目線Ｋ３４−１は、切目線Ｋ３４の一部であり、切目線Ｋ３４と折れ線Ｃ３１の接点（折れ線Ｃ３１が切目線Ｋ３４と接していない場合には、折れ線Ｃ３１の延長線の切目線Ｋ３４との接点）から切目線Ｋ３４の背面側の端部までとなる。下右側面部３２、背面側領域３７、折れ線Ｃ３１については、後述する。
【００７４】
これにより、上側構成部Ａ−２を上側に引っ張ることにより、切目線Ｋ２０、Ｋ３０における前後方向の半分以上の長さを破断することができる。
【００７５】
なお、包装箱Ａ１の展開状態においては、切目線Ｋ１７と切目線Ｋ３２とで、切込み２２０が１つの直線状に配設されている。
【００７６】
また、切目線（第４切目線）Ｋ４０は、左右方向に直線状に形成された切目線Ｋ４１と、切目線Ｋ４１の左側面側の端部から形成された切目線Ｋ４２と、切目線Ｋ４１の右側面側の端部から形成された切目線Ｋ４３とを有している。
【００７７】
切目線Ｋ４１は、左右方向に直線状に形成され、正面部１０の上辺や下辺と平行に形成されている。また、切目線Ｋ４２は、切目線Ｋ４１の左側面側の端部から連続して形成され、切目線Ｋ４３は、切目線Ｋ４１の右側面側の端部から連続して形成されている。切目線Ｋ４０は、上下方向の中心線を介して左右線対称に形成されている。
【００７８】
切目線Ｋ４１は、背面部４０の上下方向における略中央位置に形成され、左右方向において背面部４０の中央位置に形成され、左右方向の中心位置の直線状の切込みを挟んで切込み２１０と切込み２２０とが直線状に配置されている。
【００７９】
切目線（第４切目線第２構成部）Ｋ４２は、複数の切込み２１０を間隔を介して列状に配置することにより形成され、切目線（第４切目線第１構成部）Ｋ４３は、複数の切込み２２０を間隔を介して列状に配置することにより形成されている。
【００８０】
切目線Ｋ４２における複数の切込み２１０の配設方向は、切目線Ｋ４１側から背面部４０の左側面側の端部（切目線Ｋ２４側）にいくに従い上側となるように（つまり、斜め上方に傾斜して）直線状に形成され、切目線Ｋ４３における複数の切込み２２０の配設方向は、切目線Ｋ４１側から背面部４０の右側面側の端部にいくに従い上側となるように（つまり、斜め上方に傾斜して）直線状に形成されている。つまり、切目線Ｋ４２、Ｋ４３は背面部４０の外側にいくほど上側となるように傾斜して形成されている。
【００８１】
なお、切目線Ｋ４２の背面部４０の下辺に対する傾斜角度は、切目線Ｋ２４の左側面部２０の下辺に対する傾斜角度と同一（略同一としてもよい）であり、包装箱Ａ１の展開状態においては、切目線Ｋ２４と切目線Ｋ４２とで切込み２１０が１つの直線状に配設されている。また、切目線Ｋ４３の背面部４０の下辺に対する傾斜角度は、切目線Ｋ３４の右側面部３０の下辺に対する傾斜角度と同一（略同一としてもよい）である。よって、隣接する切目線の傾斜角度が同一であるので、切目線Ｋ４２から切目線Ｋ２４にかけて極めてスムーズに破断することができ、また、切目線Ｋ４３から切目線Ｋ３４にかけて極めてスムーズに破断することができる。
【００８２】
また、切目線Ｋ４９は、糊代部４９に形成されていて、切目線Ｋ４３の右側面側の端部から連続して形成され、切目線Ｋ４９は、複数の直線状の切込みを間隔を介して形成したものである。切目線Ｋ４９は、背面部４０側の端部から糊代部４９の先端側にいくほど上方となるように（つまり、斜め上方に傾斜して）形成されている。糊代部４９を右側面部３０に接着した状態では、切目線Ｋ４９の位置には切欠部ＫＶが設けられ、切目線Ｋ４９と切欠部ＫＶとは互いに対向しているので、切目線Ｋ４９は、右側面部３０それ自体には重なっていない（つまり、切目線Ｋ４９は、切目線Ｋ３４−１に重なっていない）。なお、切欠部ＫＶの横方向（前後方向）の長さが糊代部４９の横方向の長さよりも短い場合には、切目線Ｋ４９の一部（糊代部４９の先端側の一部）が切目線Ｋ３４−１との背面側の端部と一致して重なり合っている。
【００８３】
また、切目線Ｋ４１からは一対の切目線Ｋ４４、Ｋ４５が左右両側に下方に向けて形成されている。つまり、切目線Ｋ４４は、切目線Ｋ４１の左側面側の端部近傍（切目線Ｋ４１の左側面側の端部としてもよい）から連設され、下方に向けて（背面部４０の下辺に対して直角の方向に）形成され、切目線Ｋ４５は、切目線Ｋ４１の右側面側の端部近傍（切目線Ｋ４１の右側面側の端部としてもよい）から連設され、下方に向けて（背面部４０の下辺に対して直角の方向に）形成されている。切目線Ｋ４４と切目線Ｋ４５とは同一の長さに形成され、互いに平行に形成され、ともに直線状の切込み（連続した切込み）により形成されている。また、切目線Ｋ４４の下端と切目線Ｋ４５の下端を結ぶ折れ線（罫線としてもよい）Ｃ４１が形成され、具体的には、折れ線Ｃ４１に沿って折曲げ用の罫線が形成されている（つまり、折れ線Ｃ４１は、折曲げ用の罫線により形成されている）。該罫線は、ブランクの内側から押圧した押罫により形成されている。なお、切目線Ｋ４４、Ｋ４５を切込みではなく、切断予定線により形成してもよい。つまり、切目線Ｋ４４、Ｋ４５は、連続した切込みと切断予定線のいずれにより形成してもよい。また、折れ線Ｃ４１に沿って設けられた罫線と切目線Ｋ４４の下端の間や該罫線と切目線Ｋ４５の下端の間に間隔が設けられていてもよく、つまり、折れ線Ｃ４１に沿った罫線（折れ線Ｃ４１としてもよい）は、切目線Ｋ４４の下端と切目線Ｋ４５の下端の間に、該２つの下端を結ぶ方向に形成されていればよい。
【００８４】
以上のように、切目線Ｋ４２の切目線Ｋ４１側の端部から切目線Ｋ２０を経て切目線Ｋ１４の切目線Ｋ１２側の端部までの連続した切目線Ｋ５−１が基本的に切込み２１０により形成され、また、切目線Ｋ４３の切目線Ｋ４１側の端部から切目線Ｋ３０を経て切目線Ｋ１５の切目線Ｋ１３側の端部までの連続した切目線Ｋ５−２が切込み２２０により形成されている。切目線Ｋ５−１における開封方向は、切目線Ｋ４２の切目線Ｋ４１側の端部から切目線Ｋ２０を経て切目線Ｋ１４の切目線Ｋ１２側の端部に至る方向であり、切目線Ｋ５−２の開封方向は、切目線Ｋ４３の切目線Ｋ４１側の端部から切目線Ｋ３０を経て切目線Ｋ１５の切目線Ｋ１３側の端部に至る方向である。
【００８５】
なお、包装箱Ａ１において、切目線Ｋ５を介して下側の部分が下側構成部Ａ−１となり、上側の部分が上側構成部Ａ−２となる。
【００８６】
また、包装箱Ａ１においては、背面部４０に折れ線（罫線としてもよい）Ｃ４２、Ｃ４３、Ｃ４４、Ｃ４５、Ｃ４６が設けられ、左側面部２０には、折れ線（罫線としてもよい）Ｃ２１が設けられ、右側面部３０には、折れ線（罫線としてもよい）Ｃ３１が設けられ、糊代部４９には、折れ線Ｃ４９が設けられている。折れ線Ｃ４２、Ｃ４３、Ｃ４４、Ｃ４５、Ｃ４６、Ｃ２１、Ｃ３１、Ｃ４９においては、これらの折れ線に沿って（つまり、「これらの折れ線の位置に」、「該折れ線に一致して」としてもよい。）折曲げ用の罫線が形成され（つまり、折れ線Ｃ４２、Ｃ４３、Ｃ４４、Ｃ４５、Ｃ４６、Ｃ２１、Ｃ３１、Ｃ４９は、折曲げ用の罫線により形成されている）、該罫線は、ブランクの内側から押圧した押罫により形成されている。なお、折れ線Ｃ４１、Ｃ４２、Ｃ４３、Ｃ４４、Ｃ４５、Ｃ４６、Ｃ２１、Ｃ３１、Ｃ４９に沿った罫線は、ブランクの内側からの押罫により形成されているので、ブランクの内側に各罫線が視認できるが、各罫線はブランクの外側からも視認できる。なお、各罫線がブランクの外側からほとんど視認できない構成としてもよい。
【００８７】
すなわち、折れ線（第６折れ線）Ｃ４２は、切目線Ｋ４１と切目線Ｋ４４の接点Ｐ１（第１０途中位置）（一対の切目線Ｋ４４、Ｋ４５における左側面側の切目線Ｋ４４の切目線Ｋ４０との連設位置）の位置から背面部４０の横方向における外側（左側面側）に向けて水平方向（背面部４０の下辺や上辺の方向）に対して斜め上方に直線状に形成され、折れ線Ｃ４２の下側の端部は、接点Ｐ１にあり、折れ線Ｃ４２の上側の端部は、背面部４０の左側面側の辺部ＨＬ（背面部４０と左側面部２０間の折れ線Ｃ４０としてもよい）における切目線Ｋ５の位置Ｐ７（上背面部４５の左側面側の辺部の下端）から辺部ＨＬの上端（上背面部４５の左側面側の辺部の上端）までの途中位置Ｐ３にある。なお、途中位置Ｐ３を辺部ＨＬの上端から切目線Ｋ５の位置Ｐ７までの途中位置としてもよい。途中位置Ｐ３は、辺部ＨＬ上にあり、位置Ｐ７よりも上側で辺部ＨＬの上端よりも下側の位置にあり、具体的には、接点Ｐ１（接点Ｐ１は切目線（左切目線）Ｋ４４の上端ともいえる）と途中位置Ｐ３間の上下方向の長さ（途中位置Ｐ３の高さ位置と接点Ｐ１の高さ位置間の長さ）（途中位置Ｐ３と背面部４０の下辺間の長さから接点Ｐ１と背面部４０の下辺間の長さを減じた長さ）Ｌ１１と、背面部４０の上辺と途中位置Ｐ３間の上下方向の長さ（背面部４０の上辺の高さから途中位置Ｐ３の高さを減じた長さ）（背面部４０の上辺と背面部４０の下辺間の長さから途中位置Ｐ３と背面部４０の下辺間の長さを減じた長さ）Ｌ１２とが同一（略同一としてもよい）となる位置である。これにより、折れ線Ｃ４２、Ｃ４３、Ｃ４４、Ｃ４５の方向を水平方向に対して略４５度にしやすいといえる。なお、長さＬ１２を左側面側の辺部（折れ線Ｃ４０としてもよい）の上端と途中位置Ｐ３間の上下方向の長さとしてもよい。また、長さＬ１１を位置Ｐ７と途中位置Ｐ３間の上下方向の長さとしてもよい。
【００８８】
なお、折れ線Ｃ４２に沿って形成された罫線は、接点Ｐ１から途中位置Ｐ３まで形成されているが、該罫線の下端と接点Ｐ１との間に間隔を設ける構成でもよく、該罫線の上端と途中位置Ｐ３との間に間隔を設ける構成でもよい。つまり、該罫線（折れ線Ｃ４２としてもよい）は、該一対の切目線Ｋ４４、Ｋ４５における左側面側の切目線Ｋ４４の切目線Ｋ４０との連設位置である接点Ｐ１（第２連設位置）と途中位置Ｐ３の間の位置に、接点Ｐ１と途中位置Ｐ３を結ぶ方向に形成されていればよい。
【００８９】
また、折れ線（第５折れ線）Ｃ４３は、折れ線Ｃ４２と左右対称（折れ線Ｃ４３と折れ線Ｃ４２間の上下方向の中心線（折れ線Ｃ４６に沿った中心線）を介して左右線対称）に形成されていて、折れ線Ｃ４３は、切目線Ｋ４１と切目線Ｋ４５の接点Ｐ２（第９途中位置）（一対の切目線Ｋ４４、Ｋ４５における右側面側の切目線Ｋ４５の切目線Ｋ４０との連設位置）の位置から背面部４０の横方向における外側（左側面側）に向けて水平方向に対して斜め上方に直線状に形成され、折れ線Ｃ４３の下側の端部は、接点Ｐ２にあり、折れ線Ｃ４３の上側の端部は、背面部４０の右側面側の辺部ＨＲ（背面部４０と糊代部４９間の折れ線Ｃ４８としてもよい）における切目線Ｋ５の位置Ｐ８（上背面部４５の右側面側の辺部の下端）から辺部ＨＲ（折れ線Ｃ４８としてもよい）の上端（上背面部４５の右側面側の辺部の上端）までの途中位置（第１途中位置）Ｐ４にある。なお、途中位置Ｐ４を辺部ＨＲの上端から切目線Ｋ５の位置Ｐ８までの途中位置としてもよい。途中位置Ｐ４は、辺部ＨＲ上にあり、位置Ｐ８よりも上側で、辺部ＨＲの上端よりも下側にあり、具体的には、接点Ｐ２（接点Ｐ２は切目線（右切目線）Ｋ４５の上端ともいえる）と途中位置Ｐ４間の上下方向の長さ（途中位置Ｐ４の高さ位置と接点Ｐ２の高さ位置間の長さ）（途中位置Ｐ４と背面部４０の下辺間の長さから接点Ｐ２と背面部４０の下辺間の長さを減じた長さ）Ｌ２１と、背面部４０の上辺と途中位置Ｐ４間の上下方向の長さ（背面部４０の上辺の高さから途中位置Ｐ４の高さを減じた長さ）（背面部４０の上辺と背面部４０の下辺間の長さから途中位置Ｐ３と背面部４０の下辺間の長さを減じた長さ）Ｌ２２とが同一（略同一としてもよい）となる位置である。これにより、折れ線Ｃ４２、Ｃ４３、Ｃ４４、Ｃ４５の方向を水平方向に対して略４５度にしやすいといえる。なお、長さＬ２２を右側面側の辺部（折れ線Ｃ４８としてもよい）の上端と途中位置Ｐ４間の上下方向の長さとしてもよい。なお、長さＬ２１は、長さＬ１１と同一（略同一としてもよい）の長さであり、長さＬ２２は、長さＬ１２と同一（略同一としてもよい）の長さとなっている。また、接点Ｐ１と接点Ｐ２は上下方向には同じ位置であり、位置Ｐ７と位置Ｐ８は上下方向には同じ位置である。
【００９０】
なお、折れ線Ｃ４３に沿って形成された罫線は、接点Ｐ２から途中位置Ｐ４まで形成されているが、該罫線の下端と接点Ｐ２との間に間隔を設ける構成でもよく、該罫線の上端と途中位置Ｐ４との間に間隔を設ける構成でもよい。つまり、該罫線（折れ線Ｃ４３としてもよい）は、該一対の切目線Ｋ４４、Ｋ４５における右側面側の切目線Ｋ４５の切目線Ｋ４０との連設位置である接点Ｐ２（第１連設位置）と途中位置Ｐ５の間の位置に、接点Ｐ２と途中位置Ｐ５を結ぶ方向に形成されていればよい。
【００９１】
また、折れ線Ｃ４２（又はその延長線）の下端は接点Ｐ１であり、折れ線Ｃ４３（又はその延長線）の下端は接点Ｐ２としたが、これには限られず、接点Ｐ１の代わりに、切目線Ｋ４０における右側面側の端部から左側面側の端部までの途中位置である第１０途中位置とし（つまり、接点Ｐ１と第１０途中位置は、切目線Ｋ４０における別の位置となる）、接点Ｐ２の代わりに、切目線Ｋ４０における左側面側の端部から右側面側の端部までの途中位置である第９途中位置とし（つまり、接点Ｐ２と第９途中位置は、切目線Ｋ４０における別の位置となる）、第１０途中位置が第９途中位置よりも左側面側にあるようにしてもよい。つまり、折れ線Ｃ４２が第１０途中位置と途中位置Ｐ３の間の位置に、第１０途中位置と途中位置Ｐ３を結ぶ方向に形成され、折れ線Ｃ４３が第９途中位置と途中位置Ｐ４の間の位置に、第９途中位置と途中位置Ｐ４を結ぶ方向に形成されていればよい。例えば、接点Ｐ１が折れ線Ｃ４２（又はその延長線）と切目線Ｋ４０の接点（第１０途中位置）よりも内側にあり、接点Ｐ２が折れ線Ｃ４３（又はその延長線）と切目線Ｋ４０の接点（第９途中位置）よりも内側にあるようにしてもよい。
【００９２】
また、折れ線（第２折れ線）Ｃ４４は、途中位置Ｐ３から背面部４０の横方向における内側（右側面側）に向けて水平方向に対して斜め上方に背面部４０の上辺まで直線状に形成され、折れ線Ｃ４４の下端は、途中位置Ｐ３にあり、折れ線Ｃ４４の上側の端部は、背面部４０の上辺における位置Ｐ５に設けられている。
【００９３】
なお、折れ線Ｃ４４に沿って形成された罫線は、途中位置Ｐ３から位置Ｐ５まで形成されているが、該罫線の下端と途中位置Ｐ３との間に間隔を設ける構成でもよく、該罫線の上端と位置Ｐ５との間に間隔を設ける構成でもよい。つまり、該罫線（折れ線Ｃ４４としてもよい）は、途中位置Ｐ３と背面部４０の上辺の左側面側の端部から右側面側の端部までの途中位置（第４途中位置）（具体的には、位置Ｐ５）の間の位置に途中位置Ｐ３と第４途中位置とを結ぶ方向に形成されていればよい。
【００９４】
また、折れ線（第１折れ線）Ｃ４５は、折れ線Ｃ４４と左右対称（折れ線Ｃ４５と折れ線Ｃ４４間の上下方向の中心線（折れ線Ｃ４６に沿った中心線）を介して左右線対称）に形成されていて、折れ線Ｃ４５は、途中位置Ｐ４から背面部４０の横方向における内側（左側面側）に向けて水平方向に対して斜め上方に背面部４０の上辺まで直線状に形成され、折れ線Ｃ４５の下端は、途中位置Ｃ４５にあり、折れ線Ｃ４５の上側の端部は、背面部４０の上辺における位置（背面部４０の上辺の右側面側の端部から左側面側の端部までの途中位置である第２途中位置）Ｐ６に設けられている。
【００９５】
なお、折れ線Ｃ４５に沿って形成された罫線は、途中位置Ｐ４から位置Ｐ６まで形成されているが、該罫線の下端と途中位置Ｐ４との間に間隔を設ける構成でもよく、該罫線の上端と位置Ｐ６との間に間隔を設ける構成でもよい。つまり、該罫線（折れ線Ｃ４５としてもよい）は、途中位置Ｐ４と背面部４０の上辺の右側面側の端部から左側面側の端部までの途中位置（第２途中位置）（具体的には、位置Ｐ６）の間の位置に途中位置Ｐ４と第２途中位置とを結ぶ方向に形成されていればよい。
【００９６】
ここで、位置Ｐ５は、背面部４０の横方向の中央位置よりも左側面側に設けられ、位置Ｐ６は、背面部４０の横方向の中央位置よりも右側面側に設けられていて（つまり、位置Ｐ５は、位置Ｐ６よりも左側面側に位置する）、これにより、位置Ｐ５と位置Ｐ６間には間隔が設けられている。
【００９７】
また、折れ線（第７折れ線）Ｃ４６は、切目線Ｋ４１における接点Ｐ１と接点Ｐ２の間の位置、すなわち、切目線Ｋ４１の左右方向における中央位置（第１中央位置）Ｐ９（接点Ｐ１及び接点Ｐ２と等距離（略等距離としてもよい）の位置）から水平方向に対して直角の方向（背面部４０の左側面側の辺部ＨＬや右側面側の辺部ＨＲと平行な方向）に背面部４０の上辺まで直線状に形成され、折れ線Ｃ４６の下端は、該中央位置Ｐ９にあり、折れ線Ｃ４６の上端は、該中央位置（第２中央位置）Ｐ１０である。この中央位置Ｐ１０は、位置Ｐ５と位置Ｐ６の間の位置にあり、位置Ｐ５と位置Ｐ６から等距離の位置及び背面部４０の上辺の右側面側の端部と左側面側の端部から等距離の位置になる。この中央位置Ｐ１０は、中央位置Ｐ９と左右方向において同じ位置である。
【００９８】
なお、折れ線Ｃ４６に沿って形成された罫線は、中央位置Ｐ９から中央位置Ｐ１０まで形成されているが、該罫線の下端と中央位置Ｐ９との間に間隔を設ける構成でもよく、該罫線の上端と中央位置Ｐ１０との間に間隔を設ける構成でもよい。つまり、該罫線（折れ線Ｃ４６としてもよい）は、中央位置Ｐ９と中央位置Ｐ１０の間の位置に中央位置Ｐ９と中央位置Ｐ１０を結ぶ方向に形成されていればよい。
【００９９】
以上のように、背面部４０において、折れ線Ｃ４２、Ｃ４３、Ｃ４４、Ｃ４５は上下方向の中心線を介して左右対称に形成されている。
【０１００】
また、折れ線（第４折れ線）Ｃ２１は、切目線Ｋ２４の途中位置Ｐ１１（すなわち、切目線Ｋ２４における背面側の端部から正面側の端部への途中位置（途中位置Ｐ１１は、切目線Ｋ２０の背面側の端部から正面側の端部までの途中位置ともいえる））から背面側に向けて水平方向（左側面部２０の下辺や上辺の方向）に対して斜め上方に直線状に形成され、折れ線Ｃ２１の上側の端部は、途中位置（第７途中位置）Ｐ３’に位置している。この途中位置Ｐ３’は、左側面部２０の背面側の辺部における左側面部２０の背面側の辺部における切目線Ｋ５の位置Ｐ７（上左側面部２５の背面側の辺部の下端）から左側面部２０の背面側の辺部の上端（上左側面部２５の背面側の辺部の上端）までの途中位置（上左側面部２５の背面側の辺部の下端から上端までの途中位置で第３途中位置と重なる位置）であり（つまり、途中位置Ｐ３’は、上左側面部２５の背面側の辺部上にあり、位置Ｐ７よりも上側で、上左側面部２５の背面側の端部よりも下側にある）、途中位置Ｐ３’は、途中位置Ｐ３と重なる（一致するとしてもよい）。途中位置Ｐ３’を左側面部２０の背面側の辺部の上端から左側面部２０の背面側の辺部における切目線Ｋ５の位置Ｐ７までの途中位置としてもよい。つまり、途中位置Ｐ３と途中位置Ｐ３’は上下方向において一致した位置にあり、途中位置Ｐ３は、背面部４０の左側面側の辺部における位置であり、途中位置Ｐ３’は、左側面部２０の背面側の辺部における位置であるが、２つの辺部は折れ線Ｃ４０を介して接している（つまり、２つの辺部と折れ線Ｃ４０とは重なっている（一致しているとしてもよい）ので、途中位置Ｐ３と途中位置Ｐ３’は重なっている。つまり、折れ線Ｃ２１は、左側面部２０の途中位置Ｐ３’から切目線Ｋ２４の途中位置に向けて形成されている。折れ線Ｃ２１の水平方向（例えば、左側面部２０の下辺の方向）に対する傾斜角度と折れ線Ｃ４４の水平方向（例えば、背面部４０の下辺の方向）に対する傾斜角度は同一（略同一としてもよい）であり、スリーブ状部５の展開状態において、折れ線Ｃ２１と折れ線Ｃ４４は１つの直線状を呈している（つまり、同一直線上に形成されている）。これにより、折れ線Ｃ２１と折れ線Ｃ４４の一方を水平方向に対して略４５度とすることにより、他方も水平方向に対して略４５度にしやすくなる。
【０１０１】
折れ線Ｃ２１に沿って形成された罫線の一方の端部は、途中位置Ｐ３’に位置し、該罫線の他方の端部は、切目線Ｋ２４の途中位置Ｐ１１（第８途中位置）に位置するが、罫線は、途中位置Ｐ３’や切目線Ｋ２４の途中位置Ｐ１１まで形成されていなくてもよく、罫線の端部が、該途中位置Ｐ３’に向かう途中位置まで形成されたものとしてもよく（つまり、罫線の該途中位置Ｐ３’側の端部と該途中位置Ｐ３’との間には間隔が形成されている）、また、罫線の端部が、切目線Ｋ２４の途中位置Ｐ１１に向かう途中位置まで形成されたものとしてもよい（つまり、罫線の切目線Ｋ２４の途中位置Ｐ１１側の端部と切目線Ｋ２４の途中位置Ｐ１１との間には間隔が形成されている）。つまり、該罫線（折れ線Ｃ２１としてもよい）が、途中位置（第７途中位置）Ｐ３’と切目線Ｋ２０の背面側の端部から正面側の端部までの途中位置（第８途中位置）Ｐ１１との間の位置に、途中位置Ｐ３’と途中位置Ｐ１１を結ぶ方向に形成されていればよい。
【０１０２】
また、折れ線（第３折れ線）Ｃ３１は、切目線Ｋ３４の途中位置Ｐ１２（すなわち、切目線Ｋ３４における背面側の端部から正面側の端部への途中位置（途中位置Ｐ１２は、切目線Ｋ３０の背面側の端部から正面側の端部までの途中位置ともいえる））から背面側に向けて水平方向（右側面部３０の下辺や上辺の方向）に対して斜め上方に直線状に形成され、折れ線Ｃ３１の上側の端部は、途中位置（第５途中位置）Ｐ４’’に位置している。この途中位置Ｐ４’’は、右側面部３０の背面側の辺部における切欠部ＫＶから該辺部の上端までの途中位置（上右側面部３５の背面側の辺部における上端から下端までの途中位置（つまり、途中位置Ｐ４’’は、上右側面部３５の背面側の辺部上にあり、切欠部ＫＶよりも上側で、上右側面部３５の背面側の辺部の上端よりも下側にある））であり、組立て状態の包装箱Ａ１において、途中位置Ｐ４’’は途中位置Ｐ４、Ｐ４’と重なる（一致するとしてもよい）（つまり、途中位置Ｐ４’’は、途中位置Ｐ４、Ｐ４’に対応する位置である）。途中位置Ｐ４’’を右側面部３０の背面側の辺部の上端から右側面部３０の背面側の辺部における切欠部ＫＶまでの途中位置としてもよい。つまり、折れ線Ｃ３１は、途中位置Ｐ４’’から切目線Ｋ２４の途中位置に向けて形成されている。折れ線Ｃ３１は、折れ線Ｃ２１と左右対称に形成されている（包装箱Ａ１の組立て状態では、左側面部２０や右側面部３０と平行な中心面を介して左右面対称に形成され、包装箱Ａ１の展開状態では、上下方向の中心線を介して左右線対称に形成されている）。折れ線Ｃ３１の水平方向（例えば、右側面部３０の下辺の方向）に対する傾斜角度と折れ線Ｃ４５の水平方向（例えば、背面部４０の下辺の方向）に対する傾斜角度は同一（略同一としてもよい）であり、スリーブ状部５の展開状態において、折れ線Ｃ３１と折れ線Ｃ４５は１つの直線状を呈している（つまり、同一直線上に形成されている）。これにより、折れ線Ｃ３１と折れ線Ｃ４５の一方を水平方向に対して略４５度とすることにより、他方も水平方向に対して略４５度にしやすくなる。
【０１０３】
折れ線Ｃ３１に沿って形成された罫線の一方の端部は、途中位置Ｐ４’’に位置し、該罫線の他方の端部は、切目線Ｋ３４の途中位置Ｐ１２（第６途中位置）に位置するが、罫線は、途中位置Ｐ４’’や切目線Ｋ３４の途中位置Ｐ１２まで形成されていなくてもよく、罫線の端部が、途中位置Ｐ４’’に向かう途中位置まで形成されたものとしてもよく（つまり、罫線の途中位置Ｐ４’’側の端部と途中位置Ｐ４’’との間には間隔が形成されている）、また、罫線の端部が、切目線Ｋ３４の途中位置Ｐ１２に向かう途中位置まで形成されたものとしてもよい（つまり、罫線の切目線Ｋ３４の途中位置Ｐ１２側の端部と切目線Ｋ３４の途中位置Ｐ１２との間には間隔が形成されている）。つまり、該罫線（折れ線Ｃ３１としてもよい）が、途中位置（第５途中位置）Ｐ４’’（Ｐ４’）と切目線Ｋ３０の背面側の端部から正面側の端部までの途中位置（第６途中位置）Ｐ１２との間の位置に、途中位置Ｐ４’’と途中位置Ｐ１２を結ぶ方向に形成されていればよい。
【０１０４】
なお、折れ線Ｃ３１と折れ線Ｃ４９からなる折れ線Ｃ３１’を第３折れ線としてもよい。すなわち、折れ線Ｃ３１を第３折れ線とすることもできるし、折れ線Ｃ３１’を第３折れ線としてもよい。
【０１０５】
また、折れ線Ｃ４９は、途中位置（第５途中位置）Ｐ４’から糊代部４９と背面部４０間の折れ線Ｃ４８に対して傾斜して直線状に形成され、折れ線Ｃ４９の水平方向（折れ線Ｃ４８と直角の方向）に対する角度は、折れ線Ｃ４５の水平方向に対する角度と同一に形成され、包装箱Ａ１を展開した状態では、折れ線Ｃ４５と折れ線Ｃ４９は、１つの直線状を呈している（つまり、同一直線状に形成されている）。この途中位置Ｐ４’は、糊代部４９の背面側の辺部における切目線Ｋ５の位置Ｐ８（上糊代部４９−２の背面側の辺部の下端）から該背面側の辺部の上端（上糊代部４９−２の背面側の辺部の上端）までの途中位置であり、途中位置Ｐ４’は、途中位置Ｐ４と重なる（一致するとしてもよい）。つまり、途中位置Ｐ４と途中位置Ｐ４’は上下方向において一致した位置にあり、途中位置Ｐ４は、背面部４０の右側面側の辺部における位置であり、途中位置Ｐ４’は、糊代部４９の背面側の辺部における位置であるが、２つの辺部は折れ線Ｃ４８を介して接している（つまり、２つの辺部と折れ線Ｃ４８は重なる（一致するとしてもよい）ので、途中位置Ｐ４と途中位置Ｐ４’は重なっている。また、包装箱Ａ１を組み立てた状態では、折れ線Ｃ４９は、折れ線Ｃ３１に沿って折れ線Ｃ３１と一致して重なった状態となっている。なお、折れ線Ｃ４９に沿った罫線は、途中位置Ｐ４’まで形成されていなくてもよく、罫線と途中位置Ｐ４’間に間隔が形成されていてもよい。
【０１０６】
なお、折れ線Ｃ４２、Ｃ４３、Ｃ４４、Ｃ４５及び折れ線Ｃ２１、Ｃ３１、Ｃ４９の水平方向（正面部１０、左側面部２０、右側面部３０の下辺や上辺の方向）に対する角度は、略４５度（具体的には、４０〜５０度、好適には４５度）となっている。折れ線Ｃ４２、Ｃ４３、Ｃ４４、Ｃ４５及び折れ線Ｃ２１、Ｃ３１、Ｃ４９の水平方向に対する角度が略４５度（具体的には、４０〜５０度、好適には４５度）とすることにより、中央領域４６の下端を外側にひっぱる長さを長くして、下左領域４７Ｌの下辺と下右領域４７Ｒの下辺の左右方向に対する傾斜角度を大きくして切目線Ｋ４２、Ｋ４３を破断しやすくでき、また、下左領域４７Ｌの下辺と下右領域４７Ｒの下辺の左右方向に対する傾斜角度を大きくできるので、これにより、背面側領域２７、３７、下側領域４９−２ａの下辺の前後方向に対する傾斜角度を大きくして切目線Ｋ２４−１、Ｋ３４−１、Ｋ４９を破断しやすくすることができる。
【０１０７】
また、上記のように、切目線Ｋ５における上記の各切目線や上記の各折れ線が形成されていることにより、包装箱Ａ１を構成する各部は以下のように区画される。
【０１０８】
すなわち、正面部１０における切目線Ｋ１０よりも下側の部分が下正面部１２となり、切目線Ｋ１０よりも上側の部分が上正面部１５となる。
【０１０９】
また、左側面部２０における切目線Ｋ２０よりも下側の部分が下左側面部（下左面部）２２となり、左側面部２０における切目線Ｋ２０よりも上側の部分が上左側面部（上左面部）２５となる。また、上左側面部２５において、折れ線Ｃ２１よりも正面側の領域が正面側領域（第２正面側領域）２６となり、折れ線Ｃ２１よりも背面側の領域が背面側領域（第２背面側領域）２７となる。つまり、上左側面部２５は、折れ線Ｃ２１を介して、正面側領域２６と背面側領域２７とに区画されている。
【０１１０】
また、右側面部３０における切目線Ｋ３０よりも下側の部分が下右側面部（下右面部）３２となり、右側面部３０における切目線Ｋ３０よりも上側の部分が上右側面部（上右面部）３５となる。また、上右側面部３５において、折れ線Ｃ３１よりも正面側の領域が正面側領域（第１正面側領域）３６となり、折れ線Ｃ３１よりも背面側の領域が背面側領域（第１背面側領域）３７となる。つまり、上右側面部３５は、折れ線Ｃ３１を介して、正面側領域３６と背面側領域３７とに区画されている。
【０１１１】
また、背面部４０における切目線Ｋ４０よりも下側の部分が下背面部４２となり、背面部４０における切目線Ｋ４０よりも上側の部分が上背面部４５となる。また、下背面部４２において切目線Ｋ４１、Ｋ４４、Ｋ４５と折れ線Ｃ４１により囲まれた領域が押し部４４となり、下背面部４２における押し部４４以外の領域が下背面部本体４３となる。また、上背面部４５において、折れ線Ｃ４２、Ｃ４３、Ｃ４４、Ｃ４５で囲まれた領域が、中央領域４６となり、中央領域４６における折れ線Ｃ４６よりも左側面側の領域が中央左領域４６Ｌとなり、中央領域４６における折れ線Ｃ４６よりも右側面側の領域が中央右領域４６Ｒとなり、折れ線Ｃ４２よりも下側かつ左側面側の領域（折れ線Ｃ４２を介して中央領域４６と反対側の領域）が下左領域４７Ｌとなり、折れ線Ｃ４３よりも下側かつ右側面側の領域（折れ線Ｃ４３を介して中央領域４６と反対側の領域）が下右領域４７Ｒとなり、折れ線Ｃ４４よりも上側かつ左側面側の領域（折れ線Ｃ４４を介して中央領域４６と反対側の領域）が上左領域４８Ｌとなり、折れ線Ｃ４５よりも上側かつ右側面側の領域（折れ線Ｃ４５を介して中央領域４６と反対側の領域）が上右領域４８Ｒとなる。つまり、上背面部４５は、折れ線折れ線Ｃ４２、Ｃ４３、Ｃ４４、Ｃ４５を介して、中央領域４６と、下左領域４７Ｌと、下右領域４７Ｒと、上左領域４８Ｌと、上右領域４８Ｒとに区画されている。なお、中央領域４６と下左領域４７Ｌと下右領域４７Ｒとで上背面部本体４５−１が構成される。
【０１１２】
なお、折れ線Ｃ４２としての罫線の下端と切目線Ｋ４０との間に間隔を設け、折れ線Ｃ４２としての罫線の上端と背面部４０の左側面側上端の角部との間に間隔を設ける構成とし、折れ線Ｃ４３としての罫線の下端と切目線Ｋ４０との間に間隔を設け、折れ線Ｃ４３としての罫線の上端と背面部４０の右側面側上端の角部との間に間隔を設ける構成とした場合には、中央領域４６は、厳密には、「折れ線Ｃ４２又は折れ線Ｃ４２及びその延長線と折れ線Ｃ４３又は折れ線Ｃ４３及びその延長線の間の領域」といえるが、その場合も、中央領域４６は、折れ線Ｃ４２と折れ線Ｃ４３間の領域であるといえる。
【０１１３】
糊代部４９における切目線Ｋ４９よりも下側の部分が下糊代部４９−１となり、糊代部４９における切目線Ｋ４９よりも上側の部分が上糊代部４９−２となる。上糊代部４９−２において、折れ線Ｃ４９よりも下側が下側領域４９−２ａとなり、折れ線Ｃ４９よりも上側が上側領域４９−２ｂとなる。なお、右側面部３０と糊代部４９により右面部が構成されるとした場合には、上糊代部４９−２と上右側面部３５とで、上右面部３５’が構成される。つまり、上右側面部３５を上右面部とすることもできるし、上糊代部４９−２と上右側面部３５とで上右面部が構成されるとすることもできる。同様に、下糊代部４９−１と下右側面部３２とで、下右面部３２’が構成される。つまり、下右側面部３２を下右面部とすることもできるし、下糊代部４９−１と下右側面部３２とで下右面部が構成されるとすることもできる。上糊代部４９−２と上右側面部３５とで上右面部３５’が構成される場合でも、途中位置Ｐ４’’は、上右面部の背面側の辺部の上端から下端までの途中位置となり、途中位置Ｐ４’’は、上右面部の背面側の辺部の下端よりも上側で、該辺部の上端よりも下側となる。
【０１１４】
また、底面部５０は、第１片部１６０と、第２片部１７０と、第３片部１８０と、第４片部１９０とを有し、包装箱Ａ１の組立て状態においては、略方形状の外形を呈している。
【０１１５】
ここで、第１片部１６０は、正面部１０の下辺から折れ線を介して連設され、方形状（具体的には、長方形状）における先端側の一対の角部を斜めに面取りした形状を呈している。第１片部１６０の基端（正面部１０側の辺部）から先端（正面部１０側とは反対側の辺部）までの長さは、左側面部２０の横方向の長さ（折れ線Ｃ２０と折れ線Ｃ４０間の長さ））の半分の長さ（略半分の長さとしてもよい）を有し、包装箱Ａ１を組み立てた状態では、第１片部１６０の先端と第４片部１９０の先端とが当接し、第１片部１６０と第４片部１９０とでスリーブ状部５の底面側を閉じるようになっている。
【０１１６】
また、第２片部１７０は、左側面部２０の下辺から折れ線を介して連設され、方形状（具体的には、長方形状）を呈している。第２片部１７０の基端（左側面部２０側の辺部）から先端（左側面部２０側とは反対側の辺部）までの長さは、正面部１０や背面部４０の横方向の長さ（例えば、折れ線Ｃ２０と折れ線Ｃ３０間の長さ））の半分よりも小さく形成され、包装箱Ａ１を組み立てた状態では、第２片部１７０の先端と第３片部１８０の先端の間には隙間が形成される。
【０１１７】
また、第３片部１８０は、右側面部３０の下辺から折れ線を介して連設され、第２片部１７０と同大同形状に形成され、方形状（具体的には、長方形状）を呈している。第３片部１８０の基端（右側面部３０側の辺部）から先端（右側面部３０側とは反対側の辺部）までの長さは、正面部１０や背面部４０の横方向の長さ（例えば、折れ線Ｃ２０と折れ線Ｃ３０間の長さ））の半分よりも小さく形成され、包装箱Ａ１を組み立てた状態では、第２片部１７０の先端と第３片部１８０の先端の間には隙間が形成される。
【０１１８】
また、第４片部１９０は、背面部４０の下辺から折れ線を介して連設され、第１片部１６０と同大同形状に形成され、方形状（具体的には、長方形状）における先端側の一対の角部を斜めに面取りした形状を呈している。第４片部１９０の基端（背面部４０側の辺部）から先端（背面部４０側とは反対側の辺部）までの長さは、左側面部２０の横方向の長さ（折れ線Ｃ２０と折れ線Ｃ４０間の長さ））の半分の長さ（略半分の長さとしてもよい）を有し、第１片部１６０の先端と第４片部１９０の先端とが当接し、第１片部１６０と第４片部１９０とでスリーブ状部５の底面側を閉じるようになっている。
【０１１９】
包装箱Ａ１を組み立てた状態では、第１片部１６０と第４片部１９０は、第２片部１７０及び第３片部１８０の外側に設けられ、第１片部１６０の内側の面が、第２片部１７０及び第３片部１８０の面に接着され、第４片部１９０の内側の面が、第２片部１７０及び第３片部１８０の面に接着される（図５参照）。
【０１２０】
なお、包装箱Ａ１の内側の面において、正面部１０と第１片部１６０間の折れ線と、左側面部２０と第２片部１７０間の折れ線と、右側面部３０と第３片部１８０間の折れ線と、背面部４０と第４片部１９０間の折れ線に沿って折曲げ用の罫線が形成されている（つまり、それらの折れ線は、折曲げ用の罫線により形成されている）。
【０１２１】
また、蓋部１１０、１４０とフラップ部１２０、１３０は、包装箱Ａ１の展開状態において、底面部５０を構成する第１片部１６０〜第４片部１９０と線対称（つまり、上下対称）に形成されている。
【０１２２】
すなわち、蓋部１１０は、正面部１０の上辺から折れ線Ｃ１１０を介して連設され、方形状（具体的には、長方形状）における先端側の一対の角部を斜めに面取りした形状を呈している。蓋部１１０の基端（正面部１０側の辺部）から先端（正面部１０側とは反対側の辺部）までの長さは、左側面部２０の横方向の長さ（折れ線Ｃ２０と折れ線Ｃ４０間の長さ））の半分の長さ（略半分の長さとしてもよい）を有し、蓋部１１０と蓋部１４０を閉じることにより、蓋部１１０の先端と蓋部１４０の先端とが当接し、蓋部１１０と蓋部１４０とで包装箱Ａ１を閉状態とする。なお、折れ線Ｃ１１０に沿って内側からの押罫により折曲げ用の罫線が形成されている（つまり、折れ線Ｃ１１０は、折曲げ用の罫線により形成されている）。
【０１２３】
また、フラップ部１２０は、左側面部２０の上辺から折れ線Ｃ１２０を介して連設され、方形状（具体的には、長方形状）を呈している。フラップ部１２０の基端（左側面部２０側の辺部）から先端（左側面部２０側とは反対側の辺部）までの長さは、正面部１０や背面部４０の横方向の長さ（例えば、折れ線Ｃ２０と折れ線Ｃ３０間の長さ））の半分よりも小さく形成され、包装箱Ａ１の上面を閉状態にした場合には、フラップ部１２０の先端とフラップ部１３０の先端の間には隙間が形成される。なお、折れ線Ｃ１２０に沿って内側からの押罫により折曲げ用の罫線が形成されている（つまり、折れ線Ｃ１２０は、折曲げ用の罫線により形成されている）。
【０１２４】
また、フラップ部１３０は、右側面部３０の上辺から折れ線Ｃ１３０を介して連設され、フラップ部１２０と同大同形状に形成され、方形状（具体的には、長方形状）を呈している。フラップ部１３０の基端（右側面部３０側の辺部）から先端（右側面部３０側とは反対側の辺部）までの長さは、正面部１０や背面部４０の横方向の長さ（例えば、折れ線Ｃ２０と折れ線Ｃ３０間の長さ））の半分よりも小さく形成され、包装箱Ａ１の上面を閉状態にした場合には、フラップ部１２０の先端とフラップ部１３０の先端の間には隙間が形成される。なお、折れ線Ｃ１３０に沿って内側からの押罫により折曲げ用の罫線が形成されている（つまり、折れ線Ｃ１３０は、折曲げ用の罫線により形成されている）。
【０１２５】
また、蓋部１４０は、背面部４０の上辺から折れ線Ｃ１４０を介して連設され、蓋部１１０と同大同形状に形成され、方形状（具体的には、長方形状）における先端側の一対の角部を斜めに面取りした形状を呈している。第４片部１９０の基端（背面部４０側の辺部）から先端（背面部４０側とは反対側の辺部）までの長さは、左側面部２０の横方向の長さ（折れ線Ｃ２０と折れ線Ｃ４０間の長さ））の半分の長さ（略半分の長さとしてもよい）を有し、蓋部１１０と蓋部１４０を閉じることにより、蓋部１１０の先端と蓋部１４０の先端とが当接し、蓋部１１０と蓋部１４０とで包装箱Ａ１を閉状態とする。なお、折れ線Ｃ１４０に沿って内側からの押罫により折曲げ用の罫線が形成されている（つまり、折れ線Ｃ１４０は、折曲げ用の罫線により形成されている）。
【０１２６】
以上のように、これら蓋部１１０、１４０とフラップ部１２０、１３０は、包装箱Ａ１の上面を開閉するものであり、特に、蓋部１１０、１４０を閉状態とすることにより包装箱Ａ１の上面が塞がれる。なお、蓋部１１０、１４０とフラップ部１２０、１３０は、予め上方に立設した状態になっていて、包装箱Ａ１の上方が開口した状態になっている。なお、蓋部１１０、１４０は、正面部１０の上辺及び背面部４０の上辺から連設されているが、包装箱Ａ１の上面を閉じるための蓋部は、スリーブ状部５を構成する各部における少なくとも１つの上辺から連設されていればよい。
【０１２７】
上記構成の包装箱Ａ１の使用方法について説明する。包装箱Ａ１を組み立てた状態では、図１〜図５に示す状態となり、底面部５０が略平板状となり、スリーブ状部５を構成する各部材（正面部１０、左側面部２０、右側面部３０、背面部４０）における隣接する部材は互いに直角となる。また、正面部１０と背面部４０とが互いに平行であり、左側面部２０と右側面部３０とが互いに平行となる。
【０１２８】
そして、包装箱Ａ１の上方から被収納物（商品）Ｇ（図１３参照）を収納する。なお、蓋部１１０、１４０とフラップ部１２０、１３０はスリーブ状部５に対して予め上方に立設した状態になっていて、包装箱Ａ１の上方が開口した状態になっているので、被収納物Ｇはそのまま包装箱Ａ１の上方から収納すればよい。その後、フラップ部１２０、１３０を内側に折曲させるとともに蓋部１１０、１４０を内側に折曲させて、蓋部１１０、１４０を閉状態とし、接着テープＴを左側面部２０から上面を経て右側面部３０にまで接着させることにより、図１０に示す状態とする。つまり、図１０に示す状態では、蓋部１１０、１４０が閉状態で固定されている。
【０１２９】
以上のようにして、蓋部１１０、１４０を閉状態にして被収納物を包装箱Ａ１に包装したら、被収納物Ｇを収納した包装箱Ａ１を被収納物Ａ１を陳列する場所に搬送する。
【０１３０】
次に、被収納物を陳列した状態とするには、以下に説明するように、包装箱Ａ１の上側構成部Ａ−２を取り除く。
【０１３１】
すなわち、背面部４０における押し部４４を押して押し部４４を折れ線Ｃ４１を介して内側に回動させる。つまり、押し部４４を内側に押すことにより、切目線Ｋ４１が破断し、押し部４４が折れ線Ｃ４１を介して回動する。すると、中央領域４６の下側に指を入れるスペースが形成されるので、中央領域４６の下側に一方の手の指を挿入して、中央領域４６の下端（「上背面部本体４５−１（上背面部４５としてもよい）の下端」、「上背面部本体４５−１（上背面部４５としてもよい）の下端における左右方向の中央部分」としてもよい。他においても同じ）に指をひっかける。
【０１３２】
その後、中央領域４６の下端を外側にひっぱることにより、下左領域４７Ｌ及び下右領域４７Ｒが中央領域４６側から徐々にひっぱられて、切目線Ｋ４２、Ｋ４３が破断する。中央領域４６の下端を外側にひっぱった状態では、折れ線Ｃ４２、Ｃ４３は外側から見て山折りの状態となる。つまり、下左領域４７Ｌが中央領域４６に対して折れ線Ｃ４２を介して内側に回動（折曲としてもよい）するとともに、下右領域４７Ｒが中央領域４６に対して折れ線Ｃ４３を介して内側に回動（折曲としてもよい）する。また、中央領域４６は、背面部４０の上辺のみならず折れ線Ｃ４４、Ｃ４５を介して上左領域４８Ｌ及び上右領域４８Ｒに対して回動し（折曲しとしてもよい）（つまり、上背面部本体４５−１（中央領域４６としてもよい）は折れ線Ｃ４４を介して上左領域４８Ｌに対して回動するとともに、上右領域４８Ｒに対して回動して、外側に膨出した状態となる）、折れ線Ｃ４４、Ｃ４５は包装箱Ａ１の外側から見て谷折りとなる。また、折れ線Ｃ４６が設けられているので、中央領域４６は折れ線Ｃ４６を介して折曲した状態となる。その際、折れ線Ｃ４６は外側から見て山折りとなる。
【０１３３】
特に、折れ線Ｃ４２、Ｃ４３が設けられているので、下左領域４７Ｌの切目線Ｋ４２に沿った辺部（下左領域４７Ｌの下辺）と下右領域４７Ｒの切目線Ｋ４３に沿った辺部（下右領域４７Ｒの下辺）が前後方向に傾斜しやすく切目線Ｋ４２、Ｋ４３の破断が容易となる。
【０１３４】
また、折れ線Ｃ４４、Ｃ４５が設けられ、折れ線Ｃ４６が設けられているので、中央領域４６の下端を外側にひっぱり易くすることができ、切目線Ｋ４２、Ｋ４３を破断しやすい。つまり、折れ線Ｃ４２、Ｃ４３の上端が途中位置Ｐ３、Ｐ４にあるため、折れ線Ｃ４４、Ｃ４５が設けられていないと上背面部４５が外側に膨出しにくいが、折れ線Ｃ４４、Ｃ４５が設けられているため、上背面部本体４５−１が外側に膨出しやすい。また、折れ線Ｃ４６により中央領域４６を二つ折りの状態とできるので、中央領域４６を外側にひっぱり易くなる。
【０１３５】
その後、中央領域４６の下端を外側にさらにひっぱることにより、切目線Ｋ２４における下左側面部２２と背面側領域２７間の部分の切目線Ｋ２４−１が背面側から破断していき、切目線Ｋ３４における下右側面部３２と背面側領域３７間の部分の切目線Ｋ３４−１が背面側から破断していく（図１１参照）。
【０１３６】
つまり、中央領域４６の下端を外側にひっぱることにより、背面側領域２７が正面側領域２６に対して折れ線Ｃ２１を介して内側に回動（折曲としてもよい）して（つまり、上左側面部２５が折れ線Ｃ２１を介して折れ曲がる）、背面側領域２７が下左側面部２２に対して横方向に離間しようとするとともに、上糊代部４９−２における下側領域４９−２ａが上側領域４９−２ｂに対して折れ線Ｃ４９を介して内側に回動（折曲としてもよい）して（つまり、上糊代部４９−２が折れ線Ｃ４９を介して折れ曲がる）、上側領域４９−２ｂが下糊代部４９−１に対して横方向に離間しようとして、切目線Ｋ２４−１の背面側の部分と切目線Ｋ４９が破断する。なお、糊代部４９は右側面部３０に接着されているので、下側領域４９−２ａが上側領域４９−２ｂに対して回動する際に、背面側領域３７が正面側領域３６に対して折れ線Ｃ３１を介して内側に回動（折曲としてもよい）する（つまり、上右側面部３５が折れ線Ｃ３１を介して折れ曲がる）。なお、右側面部３０には、切欠部ＫＶが設けられているので、切目線Ｋ４９が破断する際には、切目線Ｋ３４−１は破断しない。
【０１３７】
その後、さらに、中央領域４６の下端を外側にひっぱることにより、背面側領域３７が下右側面部３２に対して横方向に離間しようとして、切目線Ｋ３４−１が破断するとともに、背面側領域２７が下左側面部２２に対して横方向に離間しようとして、切目線Ｋ２４−１の正面側の部分（破断してない残りの部分）が破断する。
【０１３８】
なお、背面側領域２７が正面側領域２６に対して折れ線Ｃ２１を介して内側に回動し、下側領域４９−２ａが上側領域４９−２ｂに対して折れ線Ｃ４９を介して内側に回動し、背面側領域３７が正面側領域３６に対して折れ線Ｃ３１を介して内側に回動するので、折れ線Ｃ２１と折れ線Ｃ４９と折れ線Ｃ３１は外側から見て山折りの状態となる。
【０１３９】
特に、特に、折れ線Ｃ２１、Ｃ３１、Ｃ４９が設けられているので、背面側領域２７、３７が折れ線Ｃ２１、Ｃ３１を介して回動しやすく、また、下側領域４９−２ａが折れ線Ｃ４９を介して回動しやすく、切目線Ｋ２４−１、Ｋ３４−１、Ｋ４９を破断しやすくすることができる。
【０１４０】
なお、切目線Ｋ４２、Ｋ４３と切目線Ｋ２４−１、Ｋ３４−１、Ｋ４９は中央領域４６の下端を外側にひっぱることにより破断されるので、実際には、中央領域４６の下端を外側にひっぱるという１つの動作により、切目線Ｋ４２、Ｋ４３から切目線Ｋ２４−１、Ｋ３４−１まで（つまり、切目線Ｋ３４−１については、切目線Ｋ４９を経て切目線Ｋ３４−１）（切目線Ｋ２４−１、Ｋ３４−１の正面側の端部まで）を破断させることができる。つまり、下背面部４２における該一対の切目線Ｋ４４、Ｋ４５間の領域を外側から押して、上背面部本体４５−１の下端に指をひっかけ、上背面部本体４５−１の下端を外側にひっぱることにより、上背面部本体４５−１が、折れ線Ｃ４２、Ｃ４３、Ｃ４６を介して折曲するとともに、折れ線Ｃ４４、Ｃ４５を介して折曲し、上背面部本体４５−１が外側に膨出して、切目線Ｋ４０が破断し、上右側面部３５における折れ線Ｃ３１よりも背面側の領域である背面側領域３７が折れ線Ｃ３１を介して内側に回動して切目線Ｋ３０における背面側領域３７と右側面部３０の切目線Ｋ３０よりも下側の領域である下右側面部３２間の切目線が破断するとともに、上左側面部２５における折れ線Ｃ２１よりも背面側の領域である背面側領域２７が折れ線Ｃ２１を介して内側に回動して切目線Ｋ２０における背面側領域２７と左側面部２０の切目線Ｋ２０よりも下側の領域である下左側面部２２間の切目線が破断する。
【０１４１】
なお、切目線Ｋ２４−１、Ｋ４９、Ｋ３４−１を破断する際に、中央領域４６の下端を外側にさらにひっぱるとともに、中央領域４６を上方に引き上げる動作を行なうことにより、下左側面部２２と背面側領域２７とが縦方向に離間しようとするとともに、下側領域４９−２ａと上側領域４９−２ｂ及び下右側面部３２と背面側領域３７とが縦方向に離間しようとするので、切目線Ｋ２４−１、Ｋ４９、Ｋ３４−１が破断していく。つまり、横方向の離間動作のみならず縦方向の離間動作を得ることができるので、切目線Ｋ２４−１、Ｋ４９、Ｋ３４−１を破断しやすくすることができる。
【０１４２】
特に、折れ線Ｃ２１、Ｃ３１、Ｃ４９の上端を途中位置Ｐ３’、Ｐ４’、Ｐ４’’の位置としたので、折れ線Ｃ２１、Ｃ３１の長さも、途中位置Ｐ１１と左側面部２０の上角部間に折れ線を設ける場合や途中位置Ｐ１２と右側面部３０の上角部間に折れ線を設ける場合（つまり、図３８に示す従来例と同様の構成の場合）に比べて短くできるので、中央領域４６の下端をひっぱることにより容易に折れ線Ｃ２１、Ｃ３１が折れ曲がるので、切目線Ｋ２４−１、Ｋ３４−１の破断を容易とすることができる。
【０１４３】
また、折れ線Ｃ４２、Ｃ４３の上端を途中位置Ｐ３、Ｐ４の位置としたので、背面部４０の上辺と切目線Ｋ４１間の長さが長くなっても、折れ線Ｃ４２、Ｃ４３の長さは、接点Ｐ１、Ｐ２と背面部４０の上角部間に折れ線を設ける場合（つまり、図３８に示す従来例と同様の構成の場合）に比べて短くできるので、中央領域４６の下端をひっぱることにより容易に折れ線Ｃ４２、Ｃ４３が折れ曲がる。
【０１４４】
つまり、折れ線Ｃ４２、Ｃ４３の代わりに接点Ｐ１、Ｐ２と背面部４０の上角部間の折れ線とし、折れ線Ｃ２１、Ｃ３１の代わりに、途中位置Ｐ１１と左側面部２０の上角部間の折れ線や途中位置Ｐ１２と右側面部３０の上角部間の折れ線とすると、それらの折れ線は、背面部４０の上辺と切目線Ｋ４１間の長さが長くなることにより折れ曲がりにくくなり、切目線Ｋ２４−１、Ｋ３４−１の破断が困難となるが、本実施例においては、そのような問題を解消することができる。
【０１４５】
また、折れ線Ｃ４２と折れ線Ｃ４４と折れ線Ｃ２１は、途中位置Ｐ３で接している（折れ線が途中位置Ｐ３との間に間隔がある場合には、折れ線の延長線が途中位置Ｐ３に接している）ので、上背面部本体４５−１が外側に膨出することによりスムーズに背面側領域２７が正面側領域２６に対して回動し、切目線Ｋ２４−１の破断が容易となる。同様に、折れ線Ｃ４３と折れ線Ｃ４５と折れ線Ｃ３１（及び折れ線Ｃ４９）は、途中位置Ｐ４（Ｐ４’、Ｐ４’’）の位置で接している（折れ線が途中位置Ｐ４（Ｐ４’、Ｐ４’’）との間に間隔がある場合には、折れ線の延長線が途中位置Ｐ４（Ｐ４’、Ｐ４’’）に接している）ので、上背面部本体４５−１が外側に膨出することによりスムーズに背面側領域３７が正面側領域３６に対して回動し、切目線Ｋ３４−１の破断が容易となる。
【０１４６】
その後、図１２に示すように、中央領域４６を持つ手を上方に引き上げることにより、切目線Ｋ２４、Ｋ３４が正面側に向けて破断していく。つまり、切目線Ｋ２４における下左側面部２２と正面側領域２６間の部分である切目線Ｋ２４−２と、切目線Ｋ３４における下右側面部３２と正面側領域３６間の部分である切目線Ｋ３４−２とを正面側の端部位置まで破断していく。その際、図１２に示すように、他方の手で下側構成部Ａ−１の背面側の箇所を押さえた状態とするのが好ましい。つまり、左手で押さえる場合には、図１２に示すように、下背面部４２と下右側面部３２の角部の上端を押さえ、右手で押さえる場合（この場合は、中央領域４６を左手で引き上げる）には、下背面部４２と下左側面部２２の角部の上端を押さえる。
【０１４７】
切目線Ｋ２４は、切目線Ｋ２４−１と切目線Ｋ２４−２とから構成され、切目線Ｋ３４は、切目線Ｋ３４−１と切目線Ｋ３４−２とから構成されている。
【０１４８】
切目線Ｋ２４、Ｋ３４を正面側に破断していく際に、切目線Ｋ２４、Ｋ３４が正面側にいくに従い上方となるように水平方向に対して傾斜して形成されているので、切目線Ｋ２４、Ｋ３４を破断しやすくすることができる。つまり、切目線Ｋ２４、Ｋ３４が正面側に向けて上方に形成されているので、上側構成部Ａ−２の背面側の端部を持ち上げる動作で切目線Ｋ２４、Ｋ３４を破断でき、上側構成部Ａ−２の背面側の端部を持ち上げる動作は力を入れやすく、また、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。
【０１４９】
つまり、切目線Ｋ３４を例にとって説明すると、破断箇所に掛かる力Ｆの方向を鉛直方向（水平方向に対する直角方向）とすると（中央領域４６を上方に引き上げるので、破断箇所に掛かる力Ｆの方向を鉛直方向（水平方向に対する直角方向）となる）、破断箇所に掛かる力Ｆの方向と破断方向とがなす角度αは鋭角となり、図１５（ａ）に示すように、破断箇所に掛かる力Ｆは、破断方向と直角方向の成分Ｆ１と、破断方向への成分Ｆ２とに分けられ、成分Ｆ１のみならず成分Ｆ２が存在するので、破断が容易となる。この場合と比較して、切目線の方向が水平方向の場合には、図１５（ｂ）のように、破断箇所に掛かる力Ｆの方向と破断方向とがなす角度αが直角となり、破断方向に直角の力のみとなり、破断方向への力の成分がないため、図１５（ａ）の場合に比べて破断が困難となる。また、切目線の方向が破断方向に向けて下降している場合には、図１５（ｃ）のように、破断箇所に掛かる力Ｆの方向と破断方向とがなす角度αが鈍角となり、破断箇所に掛かる力Ｆは、破断方向と直角方向の成分Ｆ１と破断方向と反対方向の成分Ｆ２に分けられるため、図１５（ｂ）の場合に比べてさらに破断が困難となる。なお、図１８においては、切目線を模式的に直線により示している。なお、切目線Ｋ２４の場合についても切目線Ｋ３４と同様である。
【０１５０】
なお、切目線Ｋ４２における複数の切込み２１０の配設方向は、切目線Ｋ４１側から背面部４０の左側面側の端部（切目線Ｋ２４側）にいくに従い上側となるように斜め上方に傾斜しており、切目線Ｋ４３における複数の切込み２２０の配設方向は、切目線Ｋ４１側から背面部４０の右側面側の端部にいくに従い上側となるように斜め上方に傾斜しているので、切目線Ｋ２４、Ｋ３４の場合と同じ理由で破断しやすいといえる。つまり、中央領域４６の下端を外側にひっぱることにより、中央領域４６は背面部４０の上辺や折れ線Ｃ４４、Ｃ４５を中心に回動するので、中央領域４６の下端は上下方向では上側にひっぱられ、中央領域４６の下端が上側にひっぱられるに伴い、下左領域４７Ｌと下右領域４７Ｒの下端も上側にひっぱられるが、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。
【０１５１】
切目線Ｋ２４、Ｋ３４の正面側の端部位置にまで破断したら、中央領域４６を正面側斜め上方に引き上げることにより、上側構成部Ａ−２が切目線Ｋ２２、Ｋ３２の正面側の端部位置を中心に回動しながら切目線Ｋ２２、Ｋ３２が破断されるので、その後、上側構成部Ａ−２をさらに正面側（又は正面下側）にひっぱることにより、切目線Ｋ１６、Ｋ１７が破断され、その後、切目線Ｋ１４、Ｋ１５が破断されて、最後に切目線Ｋ１１が破断されて、上側構成部Ａ−２が下側構成部Ａ−１と分離される。
【０１５２】
上側構成部Ａ−２を取り外した状態は、図１３、図１４に示すようになり、下側構成部Ａ−１に被収納物Ｇが収納された状態となるので、この状態で、被収納物Ｇを陳列する。
【０１５３】
なお、下正面部１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０１５４】
なお、包装箱Ａ１では、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０１５５】
以上のように、本実施例の包装箱Ａ１によれば、背面部４０の上辺と切目線Ｋ４１間の長さが長くなっても、折れ線Ｃ２１、Ｃ３１の長さを短くでき、中央領域４６の下端をひっぱることにより容易に折れ線Ｃ２１、Ｃ３１が折れ曲がるので、切目線Ｋ２４−１、Ｋ３４−１の破断を容易とすることができる。また、折れ線Ｃ４２、Ｃ４３の長さも短くできるので、中央領域４６の下端をひっぱることにより容易に折れ線Ｃ４２、Ｃ４３が折れ曲がる。さらに、折れ線Ｃ４４、Ｃ４５が設けられ、折れ線Ｃ４６が設けられているので、中央領域４６の下端を外側にひっぱり易くすることができる。
【０１５６】
また、押し部４４を押すことにより、中央領域４６の下側に指を入れるスペースが形成されるので、包装箱Ａ１の上側構成部Ａ−２を取り除く際に、最初に指を引っ掛ける操作を容易に行なうことができる。
【０１５７】
また、上記のように、折れ線Ｃ４２、Ｃ４３、Ｃ４４、Ｃ４５、Ｃ４６が設けられているので、切目線Ｋ４２、Ｋ４３の破断が容易であり、折れ線Ｃ２１、Ｃ３１が設けられているので、切目線Ｋ２４−１、Ｋ３４−１の破断が容易となり、中央領域４６の下端を外側にひっぱるという１つの動作により、切目線Ｋ４２、Ｋ４３から切目線Ｋ２４−１、Ｋ３４−１までを破断させることができる。また、切目線Ｋ２４、Ｋ３４が正面側にいくに従い上方となるように水平方向に対して傾斜して形成されているので、切目線Ｋ２４、Ｋ３４の破断が容易とすることができる。以上のようにして、最初に指を引っ掛ける操作の後の切目線の切断を容易に行なうことができる。
【０１５８】
なお、上記の説明において、切目線Ｋ２４は、背面側から正面側にいくに従い上方となるように直線状に形成されているとしたが、背面側から正面側にいくに従い上方となるように曲線状に形成してもよく（例えば、正面側に向けて傾斜角度が大きくなるように円弧状に形成する）、同様に、切目線Ｋ３４は、背面側から正面側にいくに従い上方となるように直線状に形成されているとしたが、背面側から正面側にいくに従い上方となるように曲線状に形成してもよい（例えば、正面側に向けて傾斜角度が大きくなるように円弧状に形成する）（実施例２、実施例３においても同じ）。
【０１５９】
また、切目線Ｋ２４は直線状に形成されているとしたが、切目線Ｋ２４−１と切目線Ｋ２４−２の境界位置（途中位置Ｐ１１）で屈曲した構成としてもよく、切目線Ｋ２４−１は、背面側から正面側にいくに従い上方となる構成でなくてもよく、例えば、切目線Ｋ２４−１を水平方向に形成してもよい（実施例２、実施例３においても同じ）。同様に、切目線Ｋ３４は直線状に形成されているとしたが、切目線Ｋ３４−１と切目線Ｋ３４−２の境界位置（途中位置Ｐ１２）で屈曲した構成としてもよく、切目線Ｋ３４−１は、背面側から正面側にいくに従い上方となる構成でなくてもよく、例えば、切目線Ｋ３４−１を水平方向に形成してもよい（実施例２、実施例３においても同じ）。
【０１６０】
なお、上記の説明では、位置Ｐ５と位置Ｐ６は間隔を介して設けられているとしたが、実施例３のように、位置Ｐ５と位置Ｐ６が重なる構成として、折れ線Ｃ４４と折れ線Ｃ４５が背面部４０の上辺上の位置Ｐ５’で接するようにしてもよい。
【０１６１】
なお、上記の説明では、折れ線Ｃ４２、Ｃ４３、Ｃ４４、Ｃ４５、Ｃ４６が設けられているとしたが、折れ線Ｃ４２、Ｃ４３、Ｃ４６を省略した構成としてもよい。その場合でも、折れ線Ｃ４４、Ｃ４５が設けられているので、上背面部本体４５−１の下端を手前にひっぱることにより、上背面部本体４５−１は、折れ線Ｃ４４、Ｃ４５を介して折れ曲がって外側に膨出することにより、切目線Ｋ４２、Ｋ４３が破断し、さらに、上背面部本体４５−１の下端をひっぱることにより、背面側領域２７、３７が正面側領域２６、３６に対して折れ線Ｃ２１、Ｃ３１を介して内側に回動して、切目線Ｋ２４−１、Ｋ３４−１、Ｋ４９が破断する。
【０１６２】
また、上記の説明では、折れ線Ｃ４２、Ｃ４３、Ｃ４４、Ｃ４５、Ｃ４６が設けられているとしたが、折れ線Ｃ４６を省略した構成としてもよい。その場合でも、折れ線Ｃ４２、Ｃ４３、Ｃ４４、Ｃ４５が設けられているので、上背面部本体４５−１の下端を手前にひっぱることにより、上背面部本体４５−１は、折れ線Ｃ４２、Ｃ４３を介して折曲するとともに、折れ線Ｃ４４、Ｃ４５を介して上左領域４８Ｌ及び上右領域４８Ｒに対して回動して外側に膨出することにより、切目線Ｋ４２、Ｋ４３が破断し、さらに、上背面部本体４５−１の下端をひっぱることにより、背面側領域２７、３７が正面側領域２６、３６に対して折れ線Ｃ２１、Ｃ３１を介して内側に回動して、切目線Ｋ２４−１、Ｋ３４−１、Ｋ４９が破断する。
【実施例２】
【０１６３】
次に、実施例２の包装箱Ａ２について説明する。包装箱Ａ２は、実施例１の包装箱Ａ１と略同様の構成であるが、主として背面部４０に形成された折れ線の構成が異なる。
【０１６４】
すなわち、包装箱Ａ２は、図１６〜図２３に示されるように構成され、スリーブ状部５と、底面部５０と、蓋部１１０、１４０と、フラップ部１２０、１３０とを有している。
【０１６５】
スリーブ状部５は、実施例１の場合と同様に、正面部１０と、左側面部２０と、右側面部３０と、背面部４０と、糊代部４９とを有している。スリーブ状部５には、切目線Ｋ５が形成されており、切目線Ｋ５は、実施例１における切目線Ｋ５と同様の構成であり、切目線Ｋ５は、切目線Ｋ１０、Ｋ２０、Ｋ３０、Ｋ４０、Ｋ４９を有し、切目線Ｋ１０、Ｋ２０、Ｋ３０、Ｋ４０、Ｋ４９の構成は、実施例１における切目線Ｋ１０、Ｋ２０、Ｋ３０、Ｋ４０、Ｋ４９と同様の構成である。
【０１６６】
また、包装箱Ａ２においては、背面部４０に折れ線（罫線としてもよい）Ｃ４１、Ｃ４４、Ｃ４５、Ｃ４７、Ｃ４８が設けられ、左側面部２０には、折れ線（罫線としてもよい）Ｃ２１が設けられ、右側面部３０には、折れ線（罫線としてもよい）Ｃ３１が設けられ、糊代部４９には、折れ線Ｃ４９が設けられている。折れ線Ｃ４１、Ｃ４４、Ｃ４５、Ｃ４７、Ｃ４８、Ｃ２１、Ｃ３１においては、これらの折れ線に沿って（つまり、「これらの折れ線の位置に」、「該折れ線に一致して」としてもよい。）折曲げ用の罫線が形成され（つまり、折れ線Ｃ４１、Ｃ４４、Ｃ４５、Ｃ４７、Ｃ４８、Ｃ２１、Ｃ３１は、折曲げ用の罫線により形成されている。）、該罫線は、ブランクの内側から押圧した押罫により形成されている。各罫線は、ブランクの内側及び外側から視認できる構成であるが、ブランクの外側からはほとんど視認できない構成としてもよい。
【０１６７】
ここで、折れ線Ｃ４１は、実施例１の折れ線Ｃ４１と同様の構成である。また、折れ線（第２折れ線）Ｃ４４は、実施例１の折れ線Ｃ４４と同様の構成であり、途中位置Ｐ３から背面部４０の横方向における内側（右側面側）に向けて水平方向に対して斜め上方に背面部４０の上辺まで直線状に形成され、折れ線Ｃ４４の下端は、途中位置Ｐ３にあり、折れ線Ｃ４４の上側の端部は、背面部４０の上辺における位置Ｐ５に設けられている。なお、位置Ｐ５は、左右方向において接点Ｐ１と同じ位置にあり、折れ線Ｃ４７の延長線上に位置Ｐ５が存在する。
【０１６８】
なお、途中位置Ｐ３は、実施例１の途中位置Ｐ３と同様に、背面部４０の左側面側の辺部ＨＬ（折れ線Ｃ４０としてもよい）における切目線Ｋ５の位置Ｐ７から辺部ＨＬの上端までの途中位置であり、接点Ｐ１と途中位置Ｐ３間の上下方向の長さ（途中位置Ｐ３の高さ位置と接点Ｐ１の高さ位置間の長さ）（途中位置Ｐ３と背面部４０の下辺間の長さから接点Ｐ１と背面部４０の下辺間の長さを減じた長さ）Ｌ１１と、背面部４０の上辺と途中位置Ｐ３間の上下方向の長さ（背面部４０の上辺の高さから途中位置Ｐ３の高さを減じた長さとしてもよい）Ｌ１２とは略同一である（これにより、折れ線Ｃ４４、Ｃ４５の方向を水平方向に対して略４５度にしやすいといえる。）が、途中位置Ｐ３は、実施例１の途中位置Ｐ３に比べてやや上側にあり、長さＬ１１は、長さＬ１２よりも若干長く形成されている。
【０１６９】
また、位置Ｐ５と位置Ｐ６間の長さは、実施例１における位置Ｐ５と位置Ｐ６間の長さよりも若干長く形成されている。
【０１７０】
なお、折れ線Ｃ４４に沿って形成された罫線は、途中位置Ｐ３から位置Ｐ５まで形成されているが、該罫線の下端と途中位置Ｐ３との間に間隔を設ける構成でもよく、該罫線の上端と位置Ｐ５との間に間隔を設ける構成でもよい。つまり、該罫線（折れ線Ｃ４４としてもよい）は、途中位置Ｐ３と背面部４０の上辺の左側面側の端部から右側面側の端部までの途中位置（第４途中位置）（具体的には、位置Ｐ５）の間の位置に途中位置Ｐ３と第４途中位置とを結ぶ方向に形成されていればよい。
【０１７１】
また、折れ線（第１折れ線）Ｃ４５は、折れ線Ｃ４４と左右対称に形成されていて、折れ線Ｃ４５は、途中位置Ｐ４から背面部４０の横方向における内側（左側面側）に向けて水平方向に対して斜め上方に背面部４０の上辺まで直線状に形成され、折れ線Ｃ４５の下端は、途中位置Ｐ４にあり、折れ線Ｃ４５の上側の端部は、背面部４０の上辺における位置Ｐ６に設けられている。なお、位置Ｐ６は、左右方向において接点Ｐ２と同じ位置にあり、折れ線Ｃ４８の延長線上に位置Ｐ６が存在する。
【０１７２】
なお、途中位置Ｐ４は、実施例１の途中位置Ｐ４と同様に、背面部４０の右側面側の辺部ＨＲ（折れ線Ｃ４８としてもよい）における切目線Ｋ５の位置Ｐ８から辺部ＨＲの上端までの途中位置であり、長さＬ２１と長さＬ２２とは略同一である（これにより、折れ線Ｃ４４、Ｃ４５の方向を水平方向に対して略４５度にしやすいといえる。が、途中位置Ｐ３の場合と同様に、実施例１の途中位置Ｐ４よりもやや上側にあり、長さＬ２１は、長さＬ２２よりも若干長く形成されている。長さＬ２１は、長さＬ１１と同一の長さであり、長さＬ２２は、長さＬ１２と同一の長さとなっている。なお、長さＬ１１と長さＬ１２を同一とし、長さＬ２１と長さＬ２２を同一としてもよい。
【０１７３】
なお、折れ線Ｃ４５に沿って形成された罫線は、途中位置Ｐ４から位置Ｐ６まで形成されているが、該罫線の下端と途中位置Ｐ４との間に間隔を設ける構成でもよく、該罫線の上端と位置Ｐ６との間に間隔を設ける構成でもよい。つまり、該罫線（折れ線Ｃ４５としてもよい）は、途中位置Ｐ４と背面部４０の上辺の右側面側の端部から左側面側の端部までの途中位置（第２途中位置）（具体的には、位置Ｐ６）の間の位置に途中位置Ｐ４と第２途中位置とを結ぶ方向に形成されていればよい。
【０１７４】
また、折れ線（第９折れ線）Ｃ４７は、接点Ｐ１から上方に向けて形成され、背面部４０の上辺までの途中位置まで形成されている。つまり、折れ線Ｃ４７は、折れ線Ｃ４０と平行に形成され、折れ線Ｃ４７に沿って形成された罫線の下端は、接点Ｐ１に位置し、該罫線の上端は、位置（第２対応位置）Ｐ５までの途中位置にあり（つまり、折れ線Ｃ４７の上端と位置Ｐ５間には間隔が設けられている）、折れ線Ｃ４７の長さは、接点Ｐ１と位置Ｐ５間の長さの略半分となっている。なお、該罫線の下端と接点Ｐ１との間に間隔が設けてもよい。つまり、折れ線Ｃ４７に沿って形成された罫線（折れ線Ｃ４７としてもよい）は、接点（第２連設位置）Ｐ１と背面部４０の上辺の左側面側の端部から右側面側の端部までの途中位置（位置Ｐ６よりも左側面側の位置）（位置Ｐ５としてもよい）との間の位置に、接点Ｐ１と該途中位置を結ぶ方向に形成されていればよい。
【０１７５】
また、折れ線（第８折れ線）Ｃ４８は、接点Ｐ２から上方に向けて形成され、背面部４０の上辺までの途中位置まで形成されている。つまり、折れ線Ｃ４８は、折れ線Ｃ４０と平行に形成され、折れ線Ｃ４８に沿って形成された罫線の下端は、接点Ｐ２に位置し、該罫線の上端は、位置（第１対応位置）Ｐ６までの途中位置にあり（つまり、折れ線Ｃ４８の上端と位置Ｐ６間には間隔が設けられている）、折れ線Ｃ４８の長さは、接点Ｐ２と位置Ｐ６間の長さの略半分となっている。なお、該罫線の下端と接点Ｐ２との間に間隔が設けてもよい。つまり、折れ線Ｃ４８に沿って形成された罫線（折れ線Ｃ４８としてもよい）は、接点（第１連設位置）Ｐ２と背面部４０の上辺の左側面側の端部から右側面側の端部までの途中位置（位置Ｐ６としてもよい）との間の位置に、接点Ｐ２と該途中位置を結ぶ方向に形成されていればよい。
【０１７６】
なお、本実施例においては、接点Ｐ１と途中位置Ｐ３間には折れ線（罫線）は設けられておらず、また、接点Ｐ２と途中位置Ｐ４間には折れ線（罫線）は設けられていない。
【０１７７】
以上のように、背面部４０において、折れ線Ｃ４４、Ｃ４５、Ｃ４７、Ｃ４８は、上下方向の中心線を介して左右線対称に形成されている。
【０１７８】
また、折れ線（第３折れ線）Ｃ２１は、実施例１の折れ線Ｃ２１と同様の構成である。すなわち、折れ線Ｃ２１は、切目線Ｋ２４の途中位置Ｐ１１（すなわち、切目線Ｋ２４における背面側の端部から正面側の端部への途中位置）から背面側に向けて水平方向（左側面部２０の下辺や上辺の方向）に対して斜め上方に直線状に形成され、折れ線Ｃ２１の上側の端部は、途中位置Ｐ３’に位置している。なお、実施例１の場合と同様に、途中位置Ｐ３’は、途中位置Ｐ３と重なっている。つまり、折れ線Ｃ２１は、途中位置Ｐ３’から切目線Ｋ２４の途中位置に向けて形成されている。折れ線Ｃ２１の水平方向（例えば、左側面部２０の下辺の方向）に対する傾斜角度と折れ線Ｃ４４の水平方向（例えば、背面部４０の下辺の方向）に対する傾斜角度は同一であり、スリーブ状部５の展開状態において、折れ線Ｃ２１と折れ線Ｃ４４は１つの直線状を呈している（つまり、同一直線上に形成されている）。折れ線Ｃ２１に沿って形成された罫線の一方の端部は、途中位置Ｐ３’に位置し、該罫線の他方の端部は、切目線Ｋ２４の途中位置Ｐ１１（第８途中位置）に位置するが、該罫線は、途中位置Ｐ３’や切目線Ｋ２４の途中位置Ｐ１１まで形成されていなくてもよく、罫線の端部が、該途中位置Ｐ３’に向かう途中位置まで形成されたものとしてもよく（つまり、罫線の該途中位置Ｐ３’側の端部と該途中位置Ｐ３’との間には間隔が形成されている）、また、罫線の端部が、切目線Ｋ２４の途中位置Ｐ１１に向かう途中位置まで形成されたものとしてもよい（つまり、罫線の切目線Ｋ２４の途中位置Ｐ１１側の端部と切目線Ｋ２４の途中位置Ｐ１１との間には間隔が形成されている）。つまり、該罫線（折れ線Ｃ２１としてもよい）が、途中位置（第７途中位置）Ｐ３’と切目線Ｋ２０の背面側の端部から正面側の端部までの途中位置（第８途中位置）Ｐ１１との間の位置に、途中位置Ｐ３’と途中位置Ｐ１１を結ぶ方向に形成されていればよい。
【０１７９】
また、折れ線（第４折れ線）Ｃ３１は、実施例１の折れ線Ｃ３１と同様の構成である。すなわち、折れ線Ｃ３１は、切目線Ｋ３４の途中位置Ｐ１２（すなわち、切目線Ｋ３４における背面側の端部から正面側の端部への途中位置）から背面側に向けて水平方向（右側面部３０の下辺や上辺の方向）に対して斜め上方に直線状に形成され、折れ線Ｃ３１の上側の端部は、途中位置Ｐ４’’に位置している。この途中位置Ｐ４’’は、右側面部３０の背面側の辺部における切目線Ｋ３４との接点Ｐ１３から該背面側の辺部の上端までの途中位置であり、組立て状態の包装箱Ａ２において、途中位置Ｐ４’’は途中位置Ｐ４、Ｐ４’と重なっている（つまり、途中位置Ｐ４’’は、途中位置Ｐ４、Ｐ４’に対応する位置である）。途中位置Ｐ４’’を、右側面部３０の背面側の辺部における切目線Ｋ３４との接点Ｐ１３から該背面側の辺部の上端までの途中位置としてもよい。つまり、折れ線Ｃ３１は、途中位置Ｐ４’’から切目線Ｋ２４の途中位置に向けて形成されている。折れ線Ｃ３１は、折れ線Ｃ２１と左右対称に形成されている。
【０１８０】
折れ線Ｃ３１に沿って形成された罫線の一方の端部は、途中位置Ｐ４’’に位置し、該罫線の他方の端部は、切目線Ｋ３４の途中位置Ｐ１２（第６途中位置）に位置するが、該罫線は、途中位置Ｐ４’’や切目線Ｋ３４の途中位置Ｐ１２まで形成されていなくてもよく、罫線の端部が、途中位置Ｐ４’’に向かう途中位置まで形成されたものとしてもよく（つまり、罫線の途中位置Ｐ４’’側の端部と途中位置Ｐ４’’との間には間隔が形成されている）、また、罫線の端部が、切目線Ｋ３４の途中位置Ｐ１２に向かう途中位置まで形成されたものとしてもよい（つまり、罫線の切目線Ｋ３４の途中位置Ｐ１２側の端部と切目線Ｋ３４の途中位置Ｐ１２との間には間隔が形成されている）。つまり、該罫線（折れ線Ｃ３１としてもよい）が、途中位置（第５途中位置）Ｐ４’’（Ｐ４’）と切目線Ｋ３０の背面側の端部から正面側の端部までの途中位置（第６途中位置）Ｐ１１との間の位置に、途中位置Ｐ３’と途中位置Ｐ１２を結ぶ方向に形成されていればよい。
【０１８１】
また、切目線Ｋ２４の途中位置Ｐ１１は、実施例１の場合に比べて若干背面側に位置し、切目線Ｋ３４の途中位置Ｐ１２は、実施例１の場合に比べて若干背面側に位置している。
【０１８２】
また、実施例１においては、右側面部３０の背面側の辺部に切欠部ＫＶが設けられているが、本実施例では、右側面部３０の背面側の辺部に切欠部は設けられていない。
【０１８３】
また、折れ線Ｃ４９は、実施例１の折れ線Ｃ４９と同様の構成である。すなわち、折れ線Ｃ４９は、途中位置Ｐ４’から糊代部４９と背面部４０間の折れ線Ｃ４８に対して傾斜して直線状に形成され、折れ線Ｃ４９の水平方向（折れ線Ｃ４８と直角の方向）に対する角度は、折れ線Ｃ４５の水平方向に対する角度と同一に形成され、包装箱Ａ１を展開した状態では、折れ線Ｃ４５と折れ線Ｃ４９は、１つの直線状を呈している（つまり、同一直線状に形成されている）。この途中位置Ｐ４’は、実施例１と同様に、糊代部４９の背面側の辺部における切目線Ｋ５の位置Ｐ７から該背面側の辺部の上端までの途中位置であり、途中位置Ｐ４’は、途中位置Ｐ４と重なる（一致するとしてもよい）。また、包装箱Ａ１を組み立てた状態では、折れ線Ｃ４９は、折れ線Ｃ３１に沿って折れ線Ｃ３１と一致して重なった状態となっている。なお、折れ線Ｃ４９に沿った罫線は、途中位置Ｐ４まで形成されていなくてもよく、罫線と途中位置Ｐ４間に間隔が形成されていてもよい。
【０１８４】
なお、折れ線Ｃ４４、Ｃ４５及び折れ線Ｃ２１、Ｃ３１、Ｃ４９の水平方向に対する角度は、略４５度（具体的には、４０〜５０度、好適には４５度）となっている。これにより、切目線Ｋ４２、Ｋ４３を破断しやすくできるとともに、切目線Ｋ２４−１、Ｋ３４−１、Ｋ４９を破断しやすくすることができる。
【０１８５】
また、上記のように、切目線Ｋ５における上記の各切目線や上記の各折れ線が形成されていることにより、実施例１と同様に、正面部１０は、切目線Ｋ１０を介して下正面部１２と上正面部１５に区画され、左側面部２０は、切目線Ｋ２０を介して下左側面部２２と上左側面部２５に区画され、上左側面部２５は、折れ線Ｃ２１を介して正面側領域（第１正面側領域）２６と背面側領域（第１背面側領域）２７とに区画され、右側面部３０は、切目線Ｋ３０を介して下右側面部３２と上右側面部３５に区画され、上右側面部３５は、折れ線Ｃ３１を介して正面側領域（第２正面側領域）３６と背面側領域（第２背面側領域）３７とに区画されている。
【０１８６】
また、実施例１と同様に、背面部４０は、切目線Ｋ４０を介して下背面部４２と上背面部４５に区画され、下背面部４２は、押し部４４と下背面部本体４３とに区画されている。また、上背面部４５において、折れ線Ｃ４４、Ｃ４５よりも下側の領域（切目線Ｋ４０と折れ線Ｃ４４、Ｃ４５と背面部４０の左右の辺部に囲まれた領域）が上背面部本体４５−１となり、折れ線Ｃ４４よりも上側かつ左側面側の領域（折れ線Ｃ４４を介して中央領域４６と反対側の領域）が上左領域４８Ｌとなり、折れ線Ｃ４５よりも上側かつ右側面側の領域（折れ線Ｃ４５を介して中央領域４６と反対側の領域）が上右領域４８Ｒとなる。また、上背面部本体４５−１において、折れ線Ｃ４７と折れ線Ｃ４８間の領域が中央領域４６となる。また、折れ線Ｃ４７と背面部４０の左側面側の辺部ＨＬ間の領域が下左領域４７Ｌとなり、折れ線Ｃ４８と背面部４０の右側面側の辺部ＨＲ間の領域が下右領域４７Ｒとなる。
【０１８７】
また、実施例１と同様に、糊代部４９は、切目線Ｋ４９を介して下糊代部４９−１と上糊代部４９−２に区画され、上糊代部４９−２は、折れ線Ｃ４９を介して下側領域４９−２ａと上側領域４９−２ｂに区画される。
【０１８８】
スリーブ状部５における上記で説明していない内容は、実施例１のスリーブ状部５と同様であるの詳しい説明を省略する。
【０１８９】
また、底面部５０は、第１片部１６０と、第２片部１７０と、第３片部１８０と、第４片部１９０とを有し、底面部５０における該各部の構成は、実施例１と同様である。また、蓋部１１０、１４０とフラップ部１２０、１３０は、実施例１と同様の構成である。
【０１９０】
上記構成の包装箱Ａ２の使用方法について説明する。包装箱Ａ２を組み立てた状態では、図１６〜図１９に示す状態となり、底面部５０が略平板状となり、スリーブ状部５を構成する各部材（正面部１０、左側面部２０、右側面部３０、背面部４０）における隣接する部材は互いに直角となる。また、正面部１０と背面部４０とが互いに平行であり、左側面部２０と右側面部３０とが互いに平行となる。
【０１９１】
そして、包装箱Ａ２の上方から被収納物（商品）を収納する。なお、蓋部１１０、１４０とフラップ部１２０、１３０はスリーブ状部５に対して予め上方に立設した状態になっていて、包装箱Ａ２の上方が開口した状態になっているので、被収納物はそのまま包装箱Ａ２の上方から収納すればよい。その後、フラップ部１２０、１３０を内側に折曲させるとともに蓋部１１０、１４０を内側に折曲させて、蓋部１１０、１４０を閉状態とし、接着テープＴを左側面部２０から上面を経て右側面部３０にまで接着させることにより、図２４に示す状態とする。つまり、図２４に示す状態では、蓋部１１０、１４０が閉状態で固定されている。
【０１９２】
以上のようにして、蓋部１１０、１４０を閉状態にして被収納物を包装箱Ａ２に包装したら、被収納物を収納した包装箱Ａ２を被収納物Ａ２を陳列する場所に搬送する。
【０１９３】
次に、被収納物を陳列した状態とするには、以下に説明するように、包装箱Ａ２の上側構成部Ａ−２を取り除く。
【０１９４】
すなわち、背面部４０における押し部４４を押して押し部４４を折れ線Ｃ４１を介して内側に回動させる。つまり、押し部４４を内側に押すことにより、切目線Ｋ４１が破断し、押し部４４が折れ線Ｃ４１を介して回動する。すると、中央領域４６の下側に指を入れるスペースが形成されるので、中央領域４６の下側に一方の手の指を挿入して、中央領域４６の下端（「上背面部４５の下端における左右方向の中央部分」としてもよい）に指をひっかける。
【０１９５】
その後、中央領域４６の下端を外側にひっぱることにより、下左領域４７Ｌ及び下右領域４７Ｒが中央領域４６側から徐々にひっぱられて、切目線Ｋ４２、Ｋ４３が破断する。中央領域４６の下端を外側にひっぱった状態では、折れ線Ｃ４７、Ｃ４８は外側から見て山折りの状態となる。つまり、下左領域４７Ｌが中央領域４６に対して折れ線Ｃ４７を介して内側に回動（折曲としてもよい）するとともに、下右領域４７Ｒが中央領域４６に対して折れ線Ｃ４８を介して内側に回動（折曲としてもよい）する。また、上背面部本体４５−１は、背面部４０の上辺のみならず折れ線Ｃ４４、Ｃ４５を介して回動し（折曲しとしてもよい）（つまり、上背面部本体４５−１は外側に膨出した状態となる）、折れ線Ｃ４４、Ｃ４５は包装箱Ａ２の外側から見て谷折りとなる。
【０１９６】
特に、折れ線Ｃ４７、Ｃ４８が設けられているので、下左領域４７Ｌの切目線Ｋ４２に沿った辺部（下左領域４７Ｌの下辺）と下右領域４７Ｒの切目線Ｋ４３に沿った辺部（下右領域４７Ｒの下辺）が前後方向に傾斜しやすく切目線Ｋ４２、Ｋ４３の破断が容易となる。
【０１９７】
また、折れ線Ｃ４４、Ｃ４５が設けられているので、中央領域４６の下端を外側にひっぱり易くすることができ、切目線Ｋ４２、Ｋ４３を破断しやすい。つまり、上背面部４５には、折れ線Ｃ４４、Ｃ４５以外には折れ線Ｃ４７、Ｃ４８が設けられているのみであるので、折れ線Ｃ４４、Ｃ４５が設けられていないと上背面部４５が外側に膨出しにくいが、折れ線Ｃ４４、Ｃ４５が設けられているため、上背面部本体４５−１が外側に膨出しやすい。
【０１９８】
その後、中央領域４６の下端を外側にさらにひっぱることにより、切目線Ｋ２４における下左側面部２２と背面側領域２７間の部分の切目線Ｋ２４−１が背面側から破断していき、切目線Ｋ３４における下右側面部３２と背面側領域３７間の部分の切目線Ｋ３４−１が背面側から破断していく（図２５参照）。
【０１９９】
つまり、中央領域４６の下端を外側にひっぱることにより、背面側領域２７が正面側領域２６に対して折れ線Ｃ２１を介して内側に回動（折曲としてもよい）して、背面側領域２７が下左側面部２２に対して横方向に離間しようとするとともに、上糊代部４９−２における下側領域４９−２ａが上側領域４９−２ｂに対して折れ線Ｃ４９を介して内側に回動（折曲としてもよい）して、下側領域４９−２ａが下糊代部４９−１に対して横方向に離間しようとして、切目線Ｋ２４−１の背面側の部分が破断するともに、切目線Ｋ４９と切目線Ｋ３４−１の背面側の部分が破断する。なお、糊代部４９は右側面部３０に接着されているので、下側領域４９−２ａが上側領域４９−２ｂに対して回動する際に、背面側領域３７が正面側領域３６に対して折れ線Ｃ３１を介して内側に回動（折曲としてもよい）する。
【０２００】
その後、さらに、中央領域４６の下端を外側にひっぱることにより、背面側領域３７が下右側面部３２に対して横方向に離間しようとして、切目線Ｋ３４−１の正面側の部分（破断していない残りの部分）が破断するとともに、背面側領域２７が下左側面部２２に対して横方向に離間しようとして、切目線Ｋ２４−１の正面側の部分（破断してない残りの部分）が破断する。
【０２０１】
なお、背面側領域２７が正面側領域２６に対して折れ線Ｃ２１を介して内側に回動し、下側領域４９−２ａが上側領域４９−２ｂに対して折れ線Ｃ４９を介して内側に回動し、背面側領域３７が正面側領域３６に対して折れ線Ｃ３１を介して内側に回動するので、折れ線Ｃ２１と折れ線Ｃ４９と折れ線Ｃ３１は外側から見て山折りの状態となる。
【０２０２】
特に、折れ線Ｃ２１、Ｃ３１、Ｃ４９が設けられているので、背面側領域２７、３７が折れ線Ｃ２１、Ｃ３１を介して回動しやすく、また、下側領域４９−２ａが折れ線Ｃ４９を介して回動しやすく、切目線Ｋ２４−１、Ｋ３４−１、Ｋ４９を破断しやすくすることができる。
【０２０３】
なお、切目線Ｋ４２、Ｋ４３と切目線Ｋ２４−１、Ｋ３４−１、Ｋ４９は中央領域４６の下端を外側にひっぱることにより破断されるので、実際には、中央領域４６の下端を外側にひっぱるという１つの動作により、切目線Ｋ４２、Ｋ４３から切目線Ｋ２４−１、Ｋ３４−１まで（切目線Ｋ２４−１、Ｋ３４−１の正面側の端部まで）を破断させることができる。つまり、下背面部４２における該一対の切目線Ｋ４４、Ｋ４５間の領域を外側から押して、上背面部本体４５−１の下端に指をひっかけ、上背面部本体４５−１の下端を外側にひっぱることにより、上背面部本体４５−１が、折れ線Ｃ４７、Ｃ４８を介して折曲するとともに、折れ線Ｃ４４、Ｃ４５を介して折曲し、上背面部本体４５−１が外側に膨出して、切目線Ｋ４０が破断し、上右側面部３５における折れ線Ｃ３１よりも背面側の領域である背面側領域３７が折れ線Ｃ３１を介して内側に回動して切目線Ｋ３０における背面側領域３７と右側面部３０の切目線Ｋ３０よりも下側の領域である下右側面部３２間の切目線が破断するとともに、上左側面部２５における折れ線Ｃ２１よりも背面側の領域である背面側領域２７が折れ線Ｃ２１を介して内側に回動して切目線Ｋ２０における背面側領域２７と左側面部２０の切目線Ｋ２０よりも下側の領域である下左側面部２２間の切目線が破断する。
【０２０４】
なお、切目線Ｋ２４−１、Ｋ４９、Ｋ３４−１を破断する際に、中央領域４６の下端を外側にさらにひっぱるとともに、中央領域４６を上方に引き上げる動作を行なうことにより、下左側面部２２と背面側領域２７とが縦方向に離間しようとするとともに、下側領域４９−２ａと上側領域４９−２ｂ及び下右側面部３２と背面側領域３７とが縦方向に離間しようとするので、切目線Ｋ２４−１、Ｋ４９、Ｋ３４−１が破断していく。つまり、横方向の離間動作のみならず縦方向の離間動作を得ることができるので、切目線Ｋ２４−１、Ｋ４９、Ｋ３４−１を破断しやすくすることができる。
【０２０５】
特に、折れ線Ｃ２１、Ｃ３１、Ｃ４９の上端を途中位置Ｐ３’、Ｐ４’、Ｐ４’’の位置としたので、折れ線Ｃ２１、Ｃ３１の長さも、途中位置Ｐ１１と左側面部２０の上角部間に折れ線を設ける場合や途中位置Ｐ１２と右側面部３０の上角部間に折れ線を設ける場合（つまり、図３８に示す従来例と同様の構成の場合）に比べて短くできるので、中央領域４６の下端をひっぱることにより容易に折れ線Ｃ２１、Ｃ３１が折れ曲がり、切目線Ｋ２４−１、Ｋ３４−１の破断を容易とすることができる。
【０２０６】
つまり、折れ線Ｃ２１、Ｃ３１の代わりに、途中位置Ｐ１１と左側面部２０の上角部間の折れ線や途中位置Ｐ１２と右側面部３０の上角部間の折れ線とすると、それらの折れ線は、背面部４０の上辺と切目線Ｋ４１間の長さが長くなることにより折れ曲がりにくくなり、切目線Ｋ２４−１、Ｋ３４−１の破断が困難となるが、本実施例においては、そのような問題を解消することができる。
【０２０７】
また、折れ線Ｃ４４と折れ線Ｃ２１は、途中位置Ｐ３（Ｐ３’）で接している（折れ線が途中位置Ｐ３との間に間隔がある場合には、折れ線の延長線が途中位置Ｐ３（Ｐ３’）に接している）ので、上背面部本体４５−１が外側に膨出することによりスムーズに背面側領域２７が正面側領域２６に対して回動し、切目線Ｋ２４−１の破断が容易となる。同様に、折れ線Ｃ４５と折れ線Ｃ３１（及び折線Ｃ４９）は、途中位置Ｐ４（Ｐ４’、Ｐ４’’）の位置で接している（折れ線が途中位置Ｐ４（Ｐ４’、Ｐ４’’）との間に間隔がある場合には、折れ線の延長線が途中位置Ｐ４（Ｐ４’、Ｐ４’’）に接している）ので、上背面部本体４５−１が外側に膨出することによりスムーズに背面側領域３７が正面側領域３６に対して回動し、切目線Ｋ３４−１の破断が容易となる。
【０２０８】
また、折れ線Ｃ４７、Ｃ４８の上端は、背面部４０の上辺まで形成されていないので、折れ線Ｃ４４、Ｃ４５を介した折曲げを促すことができ、切目線Ｋ４２、Ｋ４３を破断しやすくできる。つまり、折れ線Ｃ４７、Ｃ４８が背面部４０の上辺まで形成されていると、中央領域４６の下端をひっぱると、折れ線Ｃ４７、Ｃ４８を介して上背面部本体４５−１が折れ曲がってしまうため、折れ線Ｃ４４、Ｃ４５による折曲げが弱くなり、上背面部本体４５−１が外側に膨出しにくく、切目線Ｋ４２、Ｋ４３の破断が、折れ線Ｃ４７、Ｃ４８の上端が背面部４０の上辺まで形成されていない場合に比べて困難となる。
【０２０９】
その後、図２６に示すように、中央領域４６を持つ手を上方に引き上げることにより、切目線Ｋ２４、Ｋ３４が正面側に向けて破断していく。つまり、切目線Ｋ２４における下左側面部２２と正面側領域２６間の部分である切目線Ｋ２４−２と、切目線Ｋ３４における下右側面部３２と正面側領域３６間の部分である切目線Ｋ３４−２とを正面側の端部位置まで破断していく。その際、図２６に示すように、他方の手で下側構成部Ａ−１の背面側の箇所を押さえた状態とするのが好ましい。つまり、左手で押さえる場合には、図２６に示すように、下背面部４２と下右側面部３２の角部の上端を押さえ、右手で押さえる場合（この場合は、中央領域４６を左手で引き上げる）には、下背面部４２と下左側面部２２の角部の上端を押さえる。
【０２１０】
切目線Ｋ２４は、切目線Ｋ２４−１と切目線Ｋ２４−２とから構成され、切目線Ｋ３４は、切目線Ｋ３４−１と切目線Ｋ３４−２とから構成されている。
【０２１１】
なお、実施例１の場合と同様に、切目線Ｋ２４、Ｋ３４を正面側に破断していく際に、切目線Ｋ２４、Ｋ３４が正面側にいくに従い上方となるように水平方向に対して傾斜して形成されているので、切目線Ｋ２４、Ｋ３４を破断しやすくすることができる。つまり、切目線Ｋ２４、Ｋ３４が正面側に向けて上方に形成されているので、上側構成部Ａ−２の背面側の端部を持ち上げる動作で切目線Ｋ２４、Ｋ３４を破断でき、上側構成部Ａ−２の背面側の端部を持ち上げる動作は力を入れやすく、また、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。
【０２１２】
また、実施例１の場合と同様に、切目線Ｋ４２における複数の切込み２１０の配設方向は、切目線Ｋ４１側から背面部４０の左側面側の端部（切目線Ｋ２４側）にいくに従い上側となるように斜め上方に傾斜しており、切目線Ｋ４３における複数の切込み２２０の配設方向は、切目線Ｋ４１側から背面部４０の右側面側の端部にいくに従い上側となるように斜め上方に傾斜しているので、切目線Ｋ２４、Ｋ３４の場合と同じ理由で破断しやすいといえる。
【０２１３】
切目線Ｋ２４、Ｋ３４の正面側の端部位置にまで破断したら、中央領域４６を正面側斜め上方に引き上げることにより、上側構成部Ａ−２が切目線Ｋ２２、Ｋ３２の正面側の端部位置を中心に回動しながら切目線Ｋ２２、Ｋ３２が破断されるので、その後、上側構成部Ａ−２をさらに正面側（又は正面下側）にひっぱることにより、切目線Ｋ１６、Ｋ１７が破断され、その後、切目線Ｋ１４、Ｋ１５が破断されて、最後に切目線Ｋ１１が破断されて、上側構成部Ａ−２が下側構成部Ａ−１と分離される。
【０２１４】
上側構成部Ａ−２を取り外した状態は、図１３、図１４に示すようになり、下側構成部Ａ−１に被収納物Ｇが収納された状態となるので、この状態で、被収納物Ｇを陳列する。
【０２１５】
なお、下正面部１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０２１６】
なお、包装箱Ａ２では、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０２１７】
以上のように、本実施例の包装箱Ａ２によれば、背面部４０の上辺と切目線Ｋ４１間の長さが長くなっても、折れ線Ｃ２１、Ｃ３１の長さも短くでき、中央領域４６の下端をひっぱることにより容易に折れ線Ｃ２１、Ｃ３１が折れ曲がるので、切目線Ｋ２４−１、Ｋ３４−１の破断を容易とすることができる。
【０２１８】
また、押し部４４を押すことにより、中央領域４６の下側に指を入れるスペースが形成されるので、包装箱Ａ２の上側構成部Ａ−２を取り除く際に、最初に指を引っ掛ける操作を容易に行なうことができる。
【０２１９】
また、上記のように、折れ線Ｃ４４、Ｃ４５、Ｃ４７、Ｃ４８が設けられているので、切目線Ｋ４２、Ｋ４３の破断が容易であり、折れ線Ｃ２１、Ｃ３１が設けられているので、切目線Ｋ２４−１、Ｋ３４−１の破断が容易となり、中央領域４６の下端を外側にひっぱるという１つの動作により、切目線Ｋ４２、Ｋ４３から切目線Ｋ２４−１、Ｋ３４−１までを破断させることができる。また、切目線Ｋ２４、Ｋ３４が正面側にいくに従い上方となるように水平方向に対して傾斜して形成されているので、切目線Ｋ２４、Ｋ３４の破断が容易とすることができる。以上のようにして、最初に指を引っ掛ける操作の後の切目線の切断を容易に行なうことができる。
【０２２０】
なお、上記の説明では、位置Ｐ５と位置Ｐ６は間隔を介して設けられているとしたが、実施例３のように、位置Ｐ５と位置Ｐ６が重なる構成として、折れ線Ｃ４４と折れ線Ｃ４５が背面部４０の上辺上の位置Ｐ５’で接するようにしてもよい。
【０２２１】
また、本実施例において、実施例１のように、右側面部３０に切欠部ＫＶを設けるようにしてもよい。
【０２２２】
また、折れ線Ｃ４７、Ｃ４８の上端は、背面部４０の上辺までは形成されていないとしたが、折れ線Ｃ４７、Ｃ４８の上端が背面部４０の上辺まで形成された構成としてもよい。そのような構成の場合でも、中央領域４６の下端をひっぱることにより、上背面部本体４５−１を外側に膨出させることができる。
【実施例３】
【０２２３】
次に、実施例３の包装箱Ａ３について説明する。包装箱Ａ３は、実施例２の包装箱Ａ２と略同様の構成であるが、主として背面部４０に形成された折れ線の構成が異なる。
【０２２４】
すなわち、包装箱Ａ３は、図２７〜図３４に示されるように構成され、スリーブ状部５と、底面部５０と、蓋部１１０、１４０と、フラップ部１２０、１３０とを有している。
【０２２５】
スリーブ状部５は、実施例１及び実施例２の場合と同様に、正面部１０と、左側面部２０と、右側面部３０と、背面部４０と、糊代部４９とを有している。スリーブ状部５には、切目線Ｋ５が形成されており、切目線Ｋ５は、実施例１における切目線Ｋ５と同様の構成であり、切目線Ｋ５は、切目線Ｋ１０、Ｋ２０、Ｋ３０、Ｋ４０、Ｋ４９を有し、切目線Ｋ１０、Ｋ２０、Ｋ３０、Ｋ４０、Ｋ４９の構成は、実施例１における切目線Ｋ１０、Ｋ２０、Ｋ３０、Ｋ４０、Ｋ４９と同様の構成である。
【０２２６】
また、包装箱Ａ３においては、背面部４０に折れ線（罫線としてもよい）Ｃ４１、Ｃ４４、Ｃ４５、Ｃ４６が設けられ、左側面部２０には、折れ線（罫線としてもよい）Ｃ２１が設けられ、右側面部３０には、折れ線（罫線としてもよい）Ｃ３１が設けられ、糊代部４９には、折れ線Ｃ４９が設けられている。折れ線Ｃ４１、Ｃ４４、Ｃ４５、Ｃ４６、Ｃ２１、Ｃ３１においては、これらの折れ線に沿って（つまり、「これらの折れ線の位置に」、「該折れ線に一致して」としてもよい。）折曲げ用の罫線が形成され（つまり、折れ線Ｃ４１、Ｃ４４、Ｃ４５、Ｃ４６、Ｃ２１、Ｃ３１は、折曲げ用の罫線により形成されている）、該罫線は、ブランクの内側から押圧した押罫により形成されている。各罫線は、ブランクの内側及び外側から視認できる構成であるが、ブランクの外側からはほとんど視認できない構成としてもよい。
【０２２７】
ここで、折れ線Ｃ４１は、実施例１の折れ線Ｃ４１と同様の構成である。また、折れ線（第２折れ線）Ｃ４４は、実施例１の折れ線Ｃ４４と略同様の構成であり、途中位置Ｐ３から背面部４０の横方向における内側（右側面側）に向けて水平方向に対して斜め上方に背面部４０の上辺まで直線状に形成され、折れ線Ｃ４４の下端は、途中位置Ｐ３にあり、折れ線Ｃ４４の上側の端部は、背面部４０の上辺における位置Ｐ５’に設けられている。なお、位置Ｐ５’は、背面部４０の上辺における左右方向の中央位置（第２中央位置）であり、折れ線Ｃ４６の延長線上に位置Ｐ５’が存在する。この実施例３においては、第２途中位置と第４途中位置が位置Ｐ５’で重なっている（一致するとしてもよい）といえる。
【０２２８】
なお、途中位置Ｐ３は、実施例１の途中位置Ｐ３と同様に、背面部４０の左側面側の辺部ＨＬ（折れ線Ｃ４０としてもよい）における該左側面側の辺部ＨＬ（折れ線Ｃ４０としてもよい）の上端から切目線Ｋ５の位置Ｐ７までの途中位置であり、接点Ｐ１と途中位置Ｐ３間の上下方向の長さ（途中位置Ｐ３の高さ位置と接点Ｐ１の高さ位置間の長さ）（途中位置Ｐ３と背面部４０の下辺間の長さから接点Ｐ１と背面部４０の下辺間の長さを減じた長さ）Ｌ１１と、背面部４０の上辺と途中位置Ｐ３間の上下方向の長さ（背面部４０の上辺の高さから途中位置Ｐ３の高さを減じた長さとしてもよい）Ｌ１２とは略同一である（これにより、折れ線Ｃ４４、Ｃ４５の方向を水平方向に対して略４５度にしやすいといえる。が、途中位置Ｐ３は、実施例１の途中位置Ｐ３に比べてやや下側にあり、、長さＬ１１は、長さＬ１２よりも若干短く形成されている。
【０２２９】
なお、折れ線Ｃ４４に沿って形成された罫線は、途中位置Ｐ３から位置Ｐ５’まで形成されているが、該罫線の下端と途中位置Ｐ３との間に間隔を設ける構成でもよく、該罫線の上端と位置Ｐ５’との間に間隔を設ける構成でもよい。つまり、該罫線（折れ線Ｃ４４としてもよい）は、途中位置Ｐ３と背面部４０の上辺の左側面側の端部から右側面側の端部までの途中位置（第４途中位置）（具体的には、位置Ｐ５）の間の位置に途中位置Ｐ３と第４途中位置とを結ぶ方向に形成されていればよい。
【０２３０】
また、折れ線（第１折れ線）Ｃ４５は、折れ線Ｃ４４と左右対称に形成されていて、折れ線Ｃ４５は、途中位置Ｐ４から背面部４０の横方向における内側（左側面側）に向けて水平方向に対して斜め上方に背面部４０の上辺まで直線状に形成され、折れ線Ｃ４５の下端は、途中位置Ｐ４にあり、折れ線Ｃ４５の上側の端部は、背面部４０の上辺における位置Ｐ５’設けられている。つまり、折れ線Ｃ４４の上端と折れ線Ｃ４５の上端は、背面部４０の上辺における位置Ｐ５’で接している。
【０２３１】
なお、途中位置Ｐ４は、実施例１の途中位置Ｐ４と同様に、背面部４０の右側面側の辺部ＨＲ（背面部４０と糊代部４９間の折れ線Ｃ４８としてもよい）における該右側面側の辺部ＨＲ（折れ線Ｃ４８としてもよい）の上端から切目線Ｋ５の位置Ｐ８までの途中位置であり、長さＬ２１と長さＬ２２とは略同一であるが（これにより、折れ線Ｃ４４、Ｃ４５の方向を水平方向に対して略４５度にしやすいといえる。、途中位置Ｐ３の場合と同様に、実施例１の途中位置Ｐ４よりもやや下側にあり、長さＬ２１は、長さＬ２２よりも若干短く形成されている。長さＬ２１は、長さＬ１１と同一の長さであり、長さＬ２２は、長さＬ１２と同一の長さとなっている。なお、長さＬ１１と長さＬ１２を同一とし、長さＬ２１と長さＬ２２を同一としてもよい。
【０２３２】
なお、折れ線Ｃ４５に沿って形成された罫線は、途中位置Ｐ４から位置Ｐ５’まで形成されているが、該罫線の下端と途中位置Ｐ４との間に間隔を設ける構成でもよく、該罫線の上端と位置Ｐ５’との間に間隔を設ける構成でもよい。つまり、該罫線（折れ線Ｃ４５としてもよい）は、途中位置Ｐ４と背面部４０の上辺の右側面側の端部から左側面側の端部までの途中位置（第２途中位置）（具体的には、位置Ｐ６）の間の位置に途中位置Ｐ４と第２途中位置とを結ぶ方向に形成されていればよい。
【０２３３】
また、折れ線（第１０折れ線）Ｃ４６は、切目線Ｋ４１の左右方向における中央位置Ｐ９から水平方向に対して直角の方向（背面部４０の左側面側の辺部ＨＬや右側面側の辺部ＨＲと平行な方向）に背面部４０の上辺まで直線状に形成され、折れ線Ｃ４６の下端は、該中央位置Ｐ９にあり、折れ線Ｃ４６の上端は、位置Ｐ５’までの途中位置となっている。つまり、折れ線Ｃ４６の上端と位置Ｐ５’の間には間隔が設けられている。なお、折れ線Ｃ４６の上方への延長線は、位置Ｐ５’に接する。なお、折れ線Ｃ４６に沿って形成された罫線は、中央位置Ｐ９から形成されているが、該罫線の下端と中央位置Ｐ９との間に間隔を設ける構成でもよく、また、折れ線Ｃ４６の上端と位置Ｐ５’間には間隔が設けられているが、折れ線Ｃ４６の上端が位置Ｐ５’まで形成されていてもよい。つまり、該罫線（折れ線Ｃ４６としてもよい）は、中央位置Ｐ９と中央位置Ｐ１０の間の位置に中央位置Ｐ９と中央位置Ｐ１０を結ぶ方向に形成されていればよい。
【０２３４】
なお、本実施例においては、接点Ｐ１と途中位置Ｐ３間には折れ線（罫線）は設けられておらず、また、接点Ｐ２と途中位置Ｐ４間には折れ線（罫線）は設けられていない。
【０２３５】
また、折れ線（第３折れ線）Ｃ２１は、実施例１の折れ線Ｃ２１と同様の構成である。すなわち、折れ線Ｃ２１は、切目線Ｋ２４の途中位置Ｐ１１（すなわち、切目線Ｋ２４における背面側の端部から正面側の端部への途中位置）から背面側に向けて水平方向（左側面部２０の下辺や上辺の方向）に対して斜め上方に直線状に形成され、折れ線Ｃ２１の上側の端部は、途中位置Ｐ３’に位置している。なお、実施例１の場合と同様に、途中位置Ｐ３’は、途中位置Ｐ３と重なっている（一致するとしてもよい）。つまり、折れ線Ｃ２１は、左側面部２０の背面側上端の角部から切目線Ｋ２４の途中位置に向けて形成されている。折れ線Ｃ２１の水平方向（例えば、左側面部２０の下辺の方向）に対する傾斜角度と折れ線Ｃ４４の水平方向（例えば、背面部４０の下辺の方向）に対する傾斜角度は同一であり、スリーブ状部５の展開状態において、折れ線Ｃ２１と折れ線Ｃ４４は１つの直線状を呈している（つまり、同一直線上に形成されている）。折れ線Ｃ２１に沿って形成された罫線の一方の端部は、途中位置Ｐ３’に位置し、該罫線の他方の端部は、切目線Ｋ２４の途中位置Ｐ１１（第８途中位置）に位置するが、該罫線は、途中位置Ｐ３’や切目線Ｋ２４の途中位置Ｐ１１まで形成されていなくてもよく、罫線の端部が、該途中位置Ｐ３’に向かう途中位置まで形成されたものとしてもよく（つまり、罫線の該途中位置Ｐ３’側の端部と該途中位置Ｐ３’との間には間隔が形成されている）、また、罫線の端部が、切目線Ｋ２４の途中位置Ｐ１１に向かう途中位置まで形成されたものとしてもよい（つまり、罫線の切目線Ｋ２４の途中位置Ｐ１１側の端部と切目線Ｋ２４の途中位置Ｐ１１との間には間隔が形成されている）。つまり、該罫線（折れ線Ｃ２１としてもよい）が、途中位置（第７途中位置）Ｐ３’と切目線Ｋ２０の背面側の端部から正面側の端部までの途中位置（第８途中位置）Ｐ１１との間の位置に、途中位置Ｐ３’と途中位置Ｐ１１を結ぶ方向に形成されていればよい。
【０２３６】
また、折れ線（第４折れ線）Ｃ３１は、実施例１の折れ線Ｃ３１と同様の構成である。すなわち、折れ線Ｃ３１は、切目線Ｋ３４の途中位置Ｐ１２（すなわち、切目線Ｋ３４における背面側の端部から正面側の端部への途中位置）から背面側に向けて水平方向（右側面部３０の下辺や上辺の方向）に対して斜め上方に直線状に形成され、折れ線Ｃ３１の上側の端部は、途中位置Ｐ４’’に位置している。この途中位置Ｐ４’’は、右側面部３０の背面側の辺部における切目線Ｋ３４との接点Ｐ１３から該背面側の辺部の上端までの途中位置であり、組立て状態の包装箱Ａ３において、途中位置Ｐ４’’は途中位置Ｐ４、Ｐ４’と重なる（一致するとしてもよい）（つまり、途中位置Ｐ４’’は、途中位置Ｐ４、Ｐ’に対応する位置である）。つまり、折れ線Ｃ３１は、途中位置Ｐ４’’から切目線Ｋ２４の途中位置に向けて形成されている。折れ線Ｃ３１は、折れ線Ｃ２１と左右対称に形成されている。折れ線Ｃ３１に沿って形成された罫線の一方の端部は、途中位置Ｐ４’’に位置し、該罫線の他方の端部は、切目線Ｋ３４の途中位置Ｐ１２（第６途中位置）に位置するが、該罫線は、途中位置Ｐ４’’や切目線Ｋ３４の途中位置Ｐ１２まで形成されていなくてもよく、罫線の端部が、途中位置Ｐ４’’に向かう途中位置まで形成されたものとしてもよく（つまり、罫線の途中位置Ｐ４’’側の端部と途中位置Ｐ４’’との間には間隔が形成されている）、また、罫線の端部が、切目線Ｋ３４の途中位置Ｐ１２に向かう途中位置まで形成されたものとしてもよい（つまり、罫線の切目線Ｋ３４の途中位置Ｐ１２側の端部と切目線Ｋ３４の途中位置Ｐ１２との間には間隔が形成されている）。つまり、該罫線（折れ線Ｃ３１としてもよい）が、途中位置（第５途中位置）Ｐ４’’（Ｐ４’）と切目線Ｋ３０の背面側の端部から正面側の端部までの途中位置（第６途中位置）Ｐ１１との間の位置に、途中位置Ｐ３’と途中位置Ｐ１２を結ぶ方向に形成されていればよい。
【０２３７】
また、切目線Ｋ２４の途中位置Ｐ１１は、実施例１の場合に比べて若干背面側に位置し、切目線Ｋ３４の途中位置Ｐ１２は、実施例１の場合に比べて若干背面側に位置している。
【０２３８】
また、実施例１においては、右側面部３０の背面側の辺部に切欠部ＫＶが設けられているが、本実施例では、右側面部３０の背面側の辺部に切欠部は設けられていない。
【０２３９】
また、折れ線Ｃ４９は、実施例１の折れ線Ｃ４９と同様の構成である。すなわち、折れ線Ｃ４９は、途中位置Ｐ４から糊代部４９と背面部４０間の折れ線Ｃ４８に対して傾斜して直線状に形成され、折れ線Ｃ４９の水平方向（折れ線Ｃ４８と直角の方向）に対する角度は、折れ線Ｃ４５の水平方向に対する角度と同一に形成され、包装箱Ａ３を展開した状態では、折れ線Ｃ４５と折れ線Ｃ４９は、１つの直線状を呈している（つまり、同一直線状に形成されている）。この途中位置Ｐ４’は、実施例１と同様に、糊代部４９の背面側の辺部における切目線Ｋ５の位置Ｐ７から該背面側の辺部の上端までの途中位置であり、途中位置Ｐ４’は、途中位置Ｐ４と重なる（一致するとしてもよい）。また、包装箱Ａ３を組み立てた状態では、折れ線Ｃ４９は、折れ線Ｃ３１に沿って折れ線Ｃ３１と一致して重なった状態となっている。なお、折れ線Ｃ４９に沿った罫線は、途中位置Ｐ４まで形成されていなくてもよく、罫線と途中位置Ｐ４間に間隔が形成されていてもよい。
【０２４０】
なお、折れ線Ｃ４４、Ｃ４５及び折れ線Ｃ２１、Ｃ３１、Ｃ４９の水平方向に対する角度は、略４０度（具体的には、３５〜４５度）となっている。これにより、切目線Ｋ４２、Ｋ４３を破断しやすくできるとともに、切目線Ｋ２４−１、Ｋ３４−１、Ｋ４９を破断しやすくすることができる。
【０２４１】
また、上記のように、切目線Ｋ５における上記の各切目線や上記の各折れ線が形成されていることにより、実施例１と同様に、正面部１０は、切目線Ｋ１０を介して下正面部１２と上正面部１５に区画され、左側面部２０は、切目線Ｋ２０を介して下左側面部２２と上左側面部２５に区画され、上左側面部２５は、折れ線Ｃ２１を介して正面側領域（第１正面側領域）２６と背面側領域（第１背面側領域）２７とに区画され、右側面部３０は、切目線Ｋ３０を介して下右側面部３２と上右側面部３５に区画され、上右側面部３５は、折れ線Ｃ３１を介して正面側領域（第２正面側領域）３６と背面側領域（第２背面側領域）３７とに区画されている。
【０２４２】
また、実施例１と同様に、背面部４０は、切目線Ｋ４０を介して下背面部４２と上背面部４５に区画され、下背面部４２は、押し部４４と下背面部本体４３とに区画されている。また、上背面部４５において、折れ線Ｃ４４、Ｃ４５よりも下側の領域（切目線Ｋ４０と折れ線Ｃ４４、Ｃ４５と背面部４０の左右の辺部に囲まれた領域）が上背面部本体４５−１となり、折れ線Ｃ４４よりも上側かつ左側面側の領域（折れ線Ｃ４４を介して上背面部本体４５−１と反対側の領域）が上左領域４８Ｌとなり、折れ線Ｃ４５よりも上側かつ右側面側の領域（折れ線Ｃ４５を介して上背面部本体４５−１と反対側の領域）が上右領域４８Ｒとなる。また、折れ線Ｃ４６と背面部４０の左側面側の辺部ＨＬ間の領域が下左領域４７Ｌとなり、折れ線Ｃ４６と背面部４０の右側面側の辺部ＨＲ間の領域が下右領域４７Ｒとなる。
【０２４３】
また、実施例１と同様に、糊代部４９は、切目線Ｋ４９を介して下糊代部４９−１と上糊代部４９−２に区画され、上糊代部４９−２は、折れ線Ｃ４９を介して下側領域４９−２ａと上側領域４９−２ｂに区画される。
【０２４４】
スリーブ状部５における上記で説明していない内容は、実施例１のスリーブ状部５と同様であるの詳しい説明を省略する。
【０２４５】
また、底面部５０は、第１片部１６０と、第２片部１７０と、第３片部１８０と、第４片部１９０とを有し、底面部５０における該各部の構成は、実施例１と同様である。また、蓋部１１０、１４０とフラップ部１２０、１３０は、実施例１と同様の構成である。
【０２４６】
上記構成の包装箱Ａ３の使用方法について説明する。包装箱Ａ３を組み立てた状態では、図２７〜図３０に示す状態となり、底面部５０が略平板状となり、スリーブ状部５を構成する各部材（正面部１０、左側面部２０、右側面部３０、背面部４０）における隣接する部材は互いに直角となる。また、正面部１０と背面部４０とが互いに平行であり、左側面部２０と右側面部３０とが互いに平行となる。
【０２４７】
そして、包装箱Ａ３の上方から被収納物（商品）を収納する。なお、蓋部１１０、１４０とフラップ部１２０、１３０はスリーブ状部５に対して予め上方に立設した状態になっていて、包装箱Ａ３の上方が開口した状態になっているので、被収納物はそのまま包装箱Ａ３の上方から収納すればよい。その後、フラップ部１２０、１３０を内側に折曲させるとともに蓋部１１０、１４０を内側に折曲させて、蓋部１１０、１４０を閉状態とし、接着テープＴを左側面部２０から上面を経て右側面部３０にまで接着させることにより、図３５に示す状態とする。つまり、図３５に示す状態では、蓋部１１０、１４０が閉状態で固定されている。
【０２４８】
以上のようにして、蓋部１１０、１４０を閉状態にして被収納物を包装箱Ａ３に包装したら、被収納物を収納した包装箱Ａ３を被収納物Ａ３を陳列する場所に搬送する。
【０２４９】
次に、被収納物を陳列した状態とするには、以下に説明するように、包装箱Ａ３の上側構成部Ａ−２を取り除く。
【０２５０】
すなわち、背面部４０における押し部４４を押して押し部４４を折れ線Ｃ４１を介して内側に回動させる。つまり、押し部４４を内側に押すことにより、切目線Ｋ４１が破断し、押し部４４が折れ線Ｃ４１を介して回動する。すると、上背面部本体４５−１の下側に指を入れるスペースが形成されるので、上背面部本体４５−１の下側に一方の手の指を挿入して、上背面部本体４５−１の下端（具体的には、「上背面部本体４５−１（上背面部４５としてもよい）の下端における左右方向の中央部分」としてもよい）に指をひっかける。
【０２５１】
その後、上背面部４５の下端（厳密には、上背面部４５の下端における左右方向の中央部分）の下端を外側にひっぱることにより、下左領域４７Ｌ及び下右領域４７Ｒが上背面部４５の左右方向の中央側から徐々にひっぱられて、切目線Ｋ４２、Ｋ４３が破断する。上背面部本体４５−１の下端を外側にひっぱった状態では、上背面部本体４５−１は折れ線Ｃ４６を介して折曲し、折れ線Ｃ４６は外側から見て山折りの状態となる。また、上背面部本体４５−１は、折れ線Ｃ４４、Ｃ４５を介して回動し（折曲しとしてもよい）（つまり、上背面部本体４５−１は外側に膨出した状態となる）、折れ線Ｃ４４、Ｃ４５は包装箱Ａ３の外側から見て谷折りとなる。
【０２５２】
特に、折れ線Ｃ４６が設けられているので、下左領域４７Ｌの切目線Ｋ４２に沿った辺部（下左領域４７Ｌの下辺）と下右領域４７Ｒの切目線Ｋ４３に沿った辺部（下右領域４７Ｒの下辺）が前後方向に傾斜しやすく切目線Ｋ４２、Ｋ４３の破断が容易となる。
【０２５３】
また、折れ線Ｃ４４、Ｃ４５が設けられているので、上背面部本体４５−１の下端を外側にひっぱり易くすることができ、切目線Ｋ４２、Ｋ４３を破断しやすい。つまり、上背面部４５には、折れ線Ｃ４４、Ｃ４５以外には折れ線Ｃ４７、Ｃ４８が設けられているのみであるので、折れ線Ｃ４４、Ｃ４５が設けられていないと上背面部４５が外側に膨出しにくいが、折れ線Ｃ４４、Ｃ４５が設けられているため、上背面部本体４５−１が外側に膨出しやすい。
【０２５４】
その後、上背面部本体４５−１の下端を外側にさらにひっぱることにより、切目線Ｋ２４における下左側面部２２と背面側領域２７間の部分の切目線Ｋ２４−１が背面側から破断していき、切目線Ｋ３４における下右側面部３２と背面側領域３７間の部分の切目線Ｋ３４−１が背面側から破断していく（図３６参照）。
【０２５５】
つまり、上背面部４５の下端を外側にひっぱることにより、背面側領域２７が正面側領域２６に対して折れ線Ｃ２１を介して内側に回動（折曲としてもよい）して、背面側領域２７が下左側面部２２に対して横方向に離間しようとするとともに、上糊代部４９−２における下側領域４９−２ａが上側領域４９−２ｂに対して折れ線Ｃ４９を介して内側に回動（折曲としてもよい）して、下側領域４９−２ａが下糊代部４９−１に対して横方向に離間しようとして、切目線Ｋ２４−１の背面側の部分が破断するともに、切目線Ｋ４９と切目線Ｋ３４−１の背面側の部分が破断する。なお、糊代部４９は右側面部３０に接着されているので、下側領域４９−２ａが上側領域４９−２ｂに対して回動する際に、背面側領域３７が正面側領域３６に対して折れ線Ｃ３１を介して内側に回動（折曲としてもよい）する。
【０２５６】
その後、さらに、上背面部４５の下端を外側にひっぱることにより、背面側領域３７が下右側面部３２に対して横方向に離間しようとして、切目線Ｋ３４−１の正面側の部分（破断していない残りの部分）が破断するとともに、背面側領域２７が下左側面部２２に対して横方向に離間しようとして、切目線Ｋ２４−１の正面側の部分（破断してない残りの部分）が破断する。
【０２５７】
なお、背面側領域２７が正面側領域２６に対して折れ線Ｃ２１を介して内側に回動し、下側領域４９−２ａが上側領域４９−２ｂに対して折れ線Ｃ４９を介して内側に回動し、背面側領域３７が正面側領域３６に対して折れ線Ｃ３１を介して内側に回動するので、折れ線Ｃ２１と折れ線Ｃ４９と折れ線Ｃ３１は外側から見て山折りの状態となる。
【０２５８】
特に、折れ線Ｃ２１、Ｃ３１、Ｃ４９が設けられているので、背面側領域２７、３７が折れ線Ｃ２１、Ｃ３１を介して回動しやすく、また、下側領域４９−２ａが折れ線Ｃ４９を介して回動しやすく、切目線Ｋ２４−１、Ｋ３４−１、Ｋ４９を破断しやすくすることができる。
【０２５９】
なお、切目線Ｋ４２、Ｋ４３と切目線Ｋ２４−１、Ｋ３４−１、Ｋ４９は上背面部本体４５−１の下端を外側にひっぱることにより破断されるので、実際には、上背面部本体４５−１の下端を外側にひっぱるという１つの動作により、切目線Ｋ４２、Ｋ４３から切目線Ｋ２４−１、Ｋ３４−１まで（切目線Ｋ２４−１、Ｋ３４−１の正面側の端部まで）を破断させることができる。つまり、下背面部４２における該一対の切目線Ｋ４４、Ｋ４５間の領域を外側から押して、上背面部本体４５−１の下端に指をひっかけ、上背面部本体４５−１の下端を外側にひっぱることにより、上背面部本体４５−１が、折れ線Ｃ４６を介して折曲するとともに、折れ線Ｃ４４、Ｃ４５を介して折曲し、上背面部本体４５−１が外側に膨出して、切目線Ｋ４０が破断し、上右側面部３５における折れ線Ｃ３１よりも背面側の領域である背面側領域３７が折れ線Ｃ３１を介して内側に回動して切目線Ｋ３０における背面側領域３７と右側面部３０の切目線Ｋ３０よりも下側の領域である下右側面部３２間の切目線が破断するとともに、上左側面部２５における折れ線Ｃ２１よりも背面側の領域である背面側領域２７が折れ線Ｃ２１を介して内側に回動して切目線Ｋ２０における背面側領域２７と左側面部２０の切目線Ｋ２０よりも下側の領域である下左側面部２２間の切目線が破断する。
【０２６０】
なお、切目線Ｋ２４−１、Ｋ４９、Ｋ３４−１を破断する際に、上背面部４５の下端を外側にさらにひっぱるとともに、上背面部４５を上方に引き上げる動作を行なうことにより、下左側面部２２と背面側領域２７とが縦方向に離間しようとするとともに、下側領域４９−２ａと上側領域４９−２ｂ及び下右側面部３２と背面側領域３７とが縦方向に離間しようとするので、切目線Ｋ２４−１、Ｋ４９、Ｋ３４−１が破断していく。つまり、横方向の離間動作のみならず縦方向の離間動作を得ることができるので、切目線Ｋ２４−１、Ｋ４９、Ｋ３４−１を破断しやすくすることができる。
【０２６１】
特に、折れ線Ｃ２１、Ｃ３１、Ｃ４９の上端を途中位置Ｐ３’、Ｐ４’、Ｐ４’’の位置としたので、折れ線Ｃ２１、Ｃ３１の長さも、途中位置Ｐ１１と左側面部２０の上角部間に折れ線を設ける場合や途中位置Ｐ１２と右側面部３０の上角部間に折れ線を設ける場合（つまり、図３８に示す従来例と同様の構成の場合）に比べて短くできるので、上背面部本体４５−１の下端をひっぱることにより容易に折れ線Ｃ２１、Ｃ３１が折れ曲がり、切目線Ｋ２４−１、Ｋ３４−１の破断を容易とすることができる。
【０２６２】
つまり、折れ線Ｃ２１、Ｃ３１の代わりに、途中位置Ｐ１１と左側面部２０の上角部間の折れ線や途中位置Ｐ１２と右側面部３０の上角部間の折れ線とすると、それらの折れ線は、背面部４０の上辺と切目線Ｋ４１間の長さが長くなることにより折れ曲がりにくくなり、切目線Ｋ２４−１、Ｋ３４−１の破断が困難となるが、本実施例においては、そのような問題を解消することができる。
【０２６３】
その後、図３７に示すように、上背面部４５を持つ手を上方に引き上げることにより、切目線Ｋ２４、Ｋ３４が正面側に向けて破断していく。つまり、切目線Ｋ２４における下左側面部２２と正面側領域２６間の部分である切目線Ｋ２４−２と、切目線Ｋ３４における下右側面部３２と正面側領域３６間の部分である切目線Ｋ３４−２とを正面側の端部位置まで破断していく。その際、図３７に示すように、他方の手で下側構成部Ａ−１の背面側の箇所を押さえた状態とするのが好ましい。つまり、左手で押さえる場合には、図３７に示すように、下背面部４２と下右側面部３２の角部の上端を押さえ、右手で押さえる場合（この場合は、上背面部本体４５−１を左手で引き上げる）には、下背面部４２と下左側面部２２の角部の上端を押さえる。
【０２６４】
切目線Ｋ２４は、切目線Ｋ２４−１と切目線Ｋ２４−２とから構成され、切目線Ｋ３４は、切目線Ｋ３４−１と切目線Ｋ３４−２とから構成されている。
【０２６５】
なお、実施例１の場合と同様に、切目線Ｋ２４、Ｋ３４を正面側に破断していく際に、切目線Ｋ２４、Ｋ３４が正面側にいくに従い上方となるように水平方向に対して傾斜して形成されているので、切目線Ｋ２４、Ｋ３４を破断しやすくすることができる。つまり、切目線Ｋ２４、Ｋ３４が正面側に向けて上方に形成されているので、上側構成部Ａ−２の背面側の端部を持ち上げる動作で切目線Ｋ２４、Ｋ３４を破断でき、上側構成部Ａ−２の背面側の端部を持ち上げる動作は力を入れやすく、また、破断箇所に掛かる力の方向が、切目線の破断方向に対する直角方向よりも破断方向（切目線に沿った方向で、破断する側への方向）に傾斜している（破断箇所に掛かる力の方向と破断方向とがなす角度が鋭角となる）ので、切目線をより破断しやすくすることができる。
【０２６６】
また、実施例１の場合と同様に、切目線Ｋ４２における複数の切込み２１０の配設方向は、切目線Ｋ４１側から背面部４０の左側面側の端部（切目線Ｋ２４側）にいくに従い上側となるように斜め上方に傾斜しており、切目線Ｋ４３における複数の切込み２２０の配設方向は、切目線Ｋ４１側から背面部４０の右側面側の端部にいくに従い上側となるように斜め上方に傾斜しているので、切目線Ｋ２４、Ｋ３４の場合と同じ理由で破断しやすいといえる。
【０２６７】
切目線Ｋ２４、Ｋ３４の正面側の端部位置にまで破断したら、上背面部４５を正面側斜め上方に引き上げることにより、上側構成部Ａ−２が切目線Ｋ２２、Ｋ３２の正面側の端部位置を中心に回動しながら切目線Ｋ２２、Ｋ３２が破断されるので、その後、上側構成部Ａ−２をさらに正面側（又は正面下側）にひっぱることにより、切目線Ｋ１６、Ｋ１７が破断され、その後、切目線Ｋ１４、Ｋ１５が破断されて、最後に切目線Ｋ１１が破断されて、上側構成部Ａ−２が下側構成部Ａ−１と分離される。
【０２６８】
上側構成部Ａ−２を取り外した状態は、図１３、図１４に示すようになり、下側構成部Ａ−１に被収納物Ｇが収納された状態となるので、この状態で、被収納物Ｇを陳列する。
【０２６９】
なお、下正面部１２は、略Ｕ字状に形成され、左右両側を除く部分が低く形成されているので、被収納物Ｇを正面側から視認しやすくなっている。また、下側構成部Ａ−１の上方は開口しているので、被収納物Ｇを取り出す場合には、被収納物Ｇを上方に引き出して取り出せばよい。
【０２７０】
なお、包装箱Ａ３では、上側構成部Ａ−２を取り除くものであり、帯状のジッパーを取り除く構成ではないため、帯状のジッパーが廃棄物として発生せず、上側構成部Ａ−２のみを廃棄すればよい。つまり、２本の平行な切目線を周状に形成して帯状のジッパーを設けた構成の場合には、ジッパーの上側の部分とジッパー自体の２つの廃棄物が発生するが、本実施例の場合には、廃棄物としては、上側構成部Ａ−２のみとすることができる。
【０２７１】
以上のように、本実施例の包装箱Ａ３によれば、背面部４０の上辺と切目線Ｋ４１間の長さが長くなっても、折れ線Ｃ２１、Ｃ３１の長さも短くでき、上背面部本体４５−１の下端をひっぱることにより容易に折れ線Ｃ２１、Ｃ３１が折れ曲がるので、切目線Ｋ２４−１、Ｋ３４−１の破断を容易とすることができる。
【０２７２】
また、押し部４４を押すことにより、上背面部本体４５−１の下側に指を入れるスペースが形成されるので、包装箱Ａ３の上側構成部Ａ−２を取り除く際に、最初に指を引っ掛ける操作を容易に行なうことができる。
【０２７３】
また、上記のように、折れ線Ｃ４４、Ｃ４５、Ｃ４６が設けられているので、切目線Ｋ４２、Ｋ４３の破断が容易であり、折れ線Ｃ２１、Ｃ３１が設けられているので、切目線Ｋ２４−１、Ｋ３４−１の破断が容易となり、上背面部本体４５−１の下端を外側にひっぱるという１つの動作により、切目線Ｋ４２、Ｋ４３から切目線Ｋ２４−１、Ｋ３４−１までを破断させることができる。また、切目線Ｋ２４、Ｋ３４が正面側にいくに従い上方となるように水平方向に対して傾斜して形成されているので、切目線Ｋ２４、Ｋ３４の破断が容易とすることができる。以上のようにして、最初に指を引っ掛ける操作の後の切目線の切断を容易に行なうことができる。
【０２７４】
なお、実施例３の包装箱Ａ３において、折れ線Ｃ４４の上端と折れ線Ｃ４５の上端は、位置Ｐ５’で接するとしたが、折れ線Ｃ４４が背面部４０の上辺とする接する位置と折れ線Ｃ４５が背面部４０の上辺と接する位置との間に間隔を設けてもよい。つまり、実施例１や実施例２のように、折れ線Ｃ４４の上端が位置Ｐ５にあり、折れ線Ｃ４５の上端が位置Ｐ６にあるようにしてもよい。
【０２７５】
また、折れ線Ｃ４６の上端と位置Ｐ５’の間には間隔が設けられているとしたが、折れ線Ｃ４６の上端が位置Ｐ５’にあるようにしてもよい。
【０２７６】
また、本実施例において、実施例１のように、右側面部３０に切欠部ＫＶを設けるようにしてもよい。
【０２７７】
なお、上記各実施例において、各折れ線に沿って形成された罫線は、ブランクの内側から押圧した押罫により形成されているとしたが、ブランクの外側から押圧した押罫により形成したものでもよい。
【０２７８】
また、上記各実施例において、各折れ線に沿って折曲げ用の罫線が設けられているとしたが、折曲げ用の罫線の代わりに、折れ線に沿って複数の直線状の切込みを間隔を介して形成してもよい。その場合、１つの折れ線においては、複数の直線状の切込みは、該折れ線上の同一直線上に形成される。すなわち、折曲げ用の罫線の代わりに、複数の直線状の切込みにより折れ線を形成してもよい。
【符号の説明】
【０２７９】
Ａ１、Ａ２、Ａ３  包装箱
５  スリーブ状部
１０  正面部
１２  下正面部
１５  上正面部
２０  左側面部
２２  下左側面部
２５  上左側面部
２６、３６  正面側領域
２７、３７  背面側領域
３０  右側面部
３２  下右側面部
３５  上右側面部
４０  背面部
４２  下背面部
４３  下背面部本体
４４  押し部
４５  上背面部
４５−１  上背面部本体
４６  中央領域
４７Ｌ  下左領域
４７Ｒ  下右領域
４８Ｌ  上左領域
４８Ｒ  上右領域
５０  底面部
１１０、１４０  蓋部
１２０、１３０  フラップ部
２１０、２２０  切込み
Ａ−１  下側構成部
Ａ−２  上側構成部
Ｋ５、Ｋ１０、Ｋ１１、Ｋ１２、Ｋ１３、Ｋ１４、Ｋ１５、Ｋ１６、Ｋ１７、Ｋ２０、Ｋ２２、Ｋ２４、Ｋ２４−１、Ｋ２４−２、Ｋ３０、Ｋ３２、Ｋ３４、Ｋ３４−１、Ｋ３４−２、Ｋ４０、Ｋ４１、Ｋ４２、Ｋ４３、Ｋ４４、Ｋ４５
Ｃ２１、Ｃ３１、Ｃ４１、Ｃ４２、Ｃ４３、Ｃ４４、Ｃ４５、Ｃ４６、Ｃ４７、Ｃ４８  折れ線
【図１】
0006585516.tif 000002
【図２】
0006585516.tif 000003
【図３】
0006585516.tif 000004
【図４】
0006585516.tif 000005
【図５】
0006585516.tif 000006
【図６】
0006585516.tif 000007
【図７】
0006585516.tif 000008
【図８】
0006585516.tif 000009
【図９】
0006585516.tif 000010
【図１０】
0006585516.tif 000011
【図１１】
0006585516.tif 000012
【図１２】
0006585516.tif 000013
【図１３】
0006585516.tif 000014
【図１４】
0006585516.tif 000015
【図１５】
0006585516.tif 000016
【図１６】
0006585516.tif 000017
【図１７】
0006585516.tif 000018
【図１８】
0006585516.tif 000019
【図１９】
0006585516.tif 000020
【図２０】
0006585516.tif 000021
【図２１】
0006585516.tif 000022
【図２２】
0006585516.tif 000023
【図２３】
0006585516.tif 000024
【図２４】
0006585516.tif 000025
【図２５】
0006585516.tif 000026
【図２６】
0006585516.tif 000027
【図２７】
0006585516.tif 000028
【図２８】
0006585516.tif 000029
【図２９】
0006585516.tif 000030
【図３０】
0006585516.tif 000031
【図３１】
0006585516.tif 000032
【図３２】
0006585516.tif 000033
【図３３】
0006585516.tif 000034
【図３４】
0006585516.tif 000035
【図３５】
0006585516.tif 000036
【図３６】
0006585516.tif 000037
【図３７】
0006585516.tif 000038
【図３８】
0006585516.tif 000039